(57)【要約】本発明は、スケジューリングギャップを判定するための方法および装置を提供し、本方法は、スケジュールされた狭帯域物理ダウンリンク共有チャネル（ＮＢ−ＰＤＳＣＨ）または狭帯域物理アップリンク共有チャネル（ＮＢ−ＰＵＳＣＨ）の初期サブフレームを判定するために、狭帯域物理ダウンリンク制御チャネルを復調することを含み、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。本技術的ソリューションの実装は、狭帯域システム内のスケジューリングを判定する方法の問題を解決し、それによって、インジケーション支出を節約し、リソース使用効率を向上させる。
2019504571.tif 000002
【特許請求の範囲】
【請求項１】
スケジューリングギャップを判定するための方法であって、
狭帯域物理ダウンリンク制御チャネル（ＮＢ−ＰＤＣＣＨ）を復調することによって、スケジュールされた狭帯域物理ダウンリンク共有チャネル（ＮＢ−ＰＤＳＣＨ）または狭帯域物理アップリンク共有チャネル（ＮＢ−ＰＵＳＣＨ）の初期サブフレームを判定することを含み、前記初期サブフレームを判定するための基礎は、以下：前記ＮＢ−ＰＤＣＣＨの最終サブフレーム、前記ＮＢ−ＰＤＣＣＨが位置する検索空間内の最終サブフレーム、スケジューリングウィンドウ内のリソース配分、およびスケジューリングギャップインジケーションのうちの少なくとも１つを備える、方法。
【請求項２】
前記ＮＢ−ＰＤＣＣＨの前記最終サブフレームに基づいて、前記ＮＢ−ＰＤＳＣＨまたは前記ＮＢ−ＰＵＳＣＨの前記初期サブフレームを判定するとき、固定スケジューリングギャップが使用される、請求項１に記載の方法。
【請求項３】
複数のＮＢ−ＰＤＳＣＨが１つの物理リソースブロック（ＰＲＢ）対の中でサポートされ、前記固定スケジューリングギャップが前記ＮＢ−ＰＤＳＣＨの前記初期サブフレームを判定するために使用されるとき、ダウンリンク制御情報（ＤＣＩ）または暗示的判定方法は、１つのＰＲＢ内の前記ＮＢ−ＰＤＳＣＨの位置を示すために使用される、請求項２に記載の方法。
【請求項４】
前記ＮＢ−ＰＤＳＣＨまたは前記ＮＢ−ＰＵＳＣＨの前記初期サブフレームが、前記ＮＢ−ＰＤＣＣＨが位置する前記検索空間の前記最終サブフレームに基づいて判定されるとき、固定スケジューリングギャップまたは前記スケジューリングギャップに基づくインジケーションが使用され、前記スケジューリングギャップインジケーションは、前記ＮＢ−ＰＤＳＣＨまたは前記ＮＢ−ＰＵＳＣＨの前記初期サブフレームまでの前記ＮＢ−ＰＤＣＣＨが位置する前記検索空間の前記最終サブフレームを示す、請求項１に記載の方法。
【請求項５】
前記ＮＢ−ＰＤＳＣＨまたは前記ＮＢ−ＰＵＳＣＨの前記初期サブフレームが、前記ＮＢ−ＰＤＣＣＨの前記最終サブフレームおよび前記スケジューリングギャップインジケーションに基づいて判定されるとき、前記スケジューリングギャップのための値セットは、有限セットであり、前記値セットの中の要素値は、連続的または非連続的であり、前記値セットは、固定され、またはシステム情報ブロック（ＳＩＢ）もしくは無線リソース制御（ＲＲＣ）によって構成され、前記スケジューリングギャップインジケーションは、前記ＮＢ−ＰＤＳＣＨまたは前記ＮＢ−ＰＵＳＣＨの前記初期サブフレームまでの前記ＮＢ−ＰＤＣＣＨの前記最終サブフレームを示す、請求項１に記載の方法。
【請求項６】
前記スケジューリングギャップインジケーションは、以下：単一インジケーションおよび２レベルインジケーションのうちの１つを備え、
前記単一インジケーションは、スケジューリングギャップを示すために単一のパラメータを使用し、前記２レベルインジケーションの第１のインジケーションは、単一インジケーションパラメータであり、前記２レベルインジケーションの第２のインジケーションは、もう一度、前記第１のインジケーションに基づくオフセット値を示し、前記オフセット値のための値セットは、有限セットであり、固定され、または前記ＳＩＢもしくは前記ＲＲＣによって構成される、請求項４または請求項５に記載の方法。
【請求項７】
前記値セットは、以下：サービスタイプ、検索空間タイプ、または前記ＤＣＩで示される反復の数のうちの少なくとも１つによって、異なる値を有するように構成され、または暗示的に判定され、
前記値セットは、以下：前記単一インジケーション、前記２レベルインジケーションの前記第１のインジケーション、および前記２レベルインジケーションの前記第２のインジケーションのうちの少なくとも１つを備え、前記値セットのうちの値に対応する単位は、伝送時間ギャップ、またはサービスチャネルのリソース単位、物理サブフレーム、利用可能なサブフレームの数、無線フレームであり、前記ＤＣＩで示される前記反復は、以下：ＮＰ−ＰＤＳＣＨ反復、ＮＢ−ＰＵＳＣＨ反復、ＮＢ−ＰＤＣＣＨ反復のうちの少なくとも１つを備える、請求項６に記載の方法。
【請求項８】
前記値セットが、上位層シグナリングによって構成される最大反復の数（Ｒｍａｘ）に基づいて判定され、または異なる値を有することが前記ＤＣＩで示される前記反復に基づいて含意されるとき、前記異なる値は、Ｒｍａｘ／ｉの倍数を一様に使用し、前記スケジューリングギャップは、同一の共通因数によって表され、ｉは、０を上回る整数であり、前記異なる値は、以下のモード：
Ｒｍａｘ／ｉの倍数を使用すること、
Ｒｍａｘ／ｉの少なくとも２つの倍数を使用すること
のうちの少なくとも１つを含む、請求項５または請求項７に記載の方法。
【請求項９】
Ｒｍａｘ＝Ｃの所定または構成された閾値に基づいて、それぞれ、ＲｍａｘがＣを上回るまたはそれと等しい、およびＲｍａｘがＣ未満であるとき、スケジューリング時間ギャップの値の２つのセットが、それぞれ、使用される、請求項５または請求項７に記載の方法。
【請求項１０】
前記値セットのうちの前記値は、以下：
Ｒｍａｘ／ｉの同一の倍数を使用し、異なる共通因数を使用すること、
Ｒｍａｘ／ｉの異なる倍数を使用し、同一の共通因数を使用すること、
１つのグループが、Ｒｍａｘ／ｉの倍数を使用せず、別のグループが、Ｒｍａｘ／ｉの倍数を使用すること
のうちの少なくとも１つを含む、請求項９に記載の方法。
【請求項１１】
前記値セットの中の要素の値は、以下：
ｘが以下の｛０，１，２，３，．．．，２０｝のうちの少なくとも１つである、２ｘと、
無線フレーム長の整数の倍数と、
トランスポートブロックによって占有されるサブフレームの数の整数の倍数と、
制御チャネル占有サブフレームの整数の倍数ｋ×２ｘ（ｋは、０を上回る、もしくは０を上回るまたはそれと等しい、正の整数である）と
のうちの少なくとも１つを備える、請求項５に記載の方法。
【請求項１２】
前記値セットのうちの前記要素の最大値を判定するための方法は、以下：リソース配分サイクル、スケジューリングサイクル、またはスケジューリングウィンドウの長さ、固定され、または基地局によって構成される一意の値、それぞれ、異なるカバレッジレベルに基づいて判定されること、少なくとも１つのカバレッジレベルに基づいて判定されること、アップリンク単一搬送波伝送に基づいて判定されること、アップリンク副搬送波ギャップに基づいて判定されることのうちの少なくとも１つを含む、請求項１１に記載の方法。
【請求項１３】
前記ＮＢ−ＰＤＳＣＨまたは前記ＮＢ−ＰＵＳＣＨの前記初期サブフレームが前記スケジューリングウィンドウ内の前記リソース配分に基づいて判定されるとき、前記スケジューリングギャップの値は、前記スケジューリングウィンドウのウィンドウ長よりも小さい任意の値であり、前記スケジューリングウィンドウ内の前記リソース配分は、Ｘ個のＰＲＢまたはサブフレームを超えない連続リソース配分を使用し、Ｘの値は、前記スケジューリングウィンドウ長よりも小さく、前記スケジューリングギャップは、前記ＮＢ−ＰＤＣＣＨの前記最終サブフレームから、前記ＮＢ−ＰＤＳＣＨまたは前記ＮＢ−ＰＵＳＣＨの前記初期サブフレームまでである、請求項１に記載の方法。
【請求項１４】
前記ＮＢ−ＰＤＳＣＨまたは前記ＮＢ−ＰＵＳＣＨの前記初期サブフレームが前記スケジューリングウィンドウ内の前記リソース配分に基づいて判定されるとき、これはさらに、前記ＤＣＩによって動的に示される前記オフセット値に基づいて合同で判定され、前記ＮＢ−ＰＤＳＣＨまたは前記ＮＢ−ＰＵＳＣＨによって占有されるサブフレームリソースは、スケジューリングウィンドウにわたり、または前記スケジューリングウィンドウ内のみにある、請求項１３に記載の方法。
【請求項１５】
カバレッジ強化シナリオが、リソース配分によって判定されるリソースを使用して、Ｒ回繰り返し伝送するとき、前記方法は、以下の方法：前記スケジューリングウィンドウ内の前記リソース配分に基づいて、伝送が、前記スケジューリングウィンドウの間のみでＲ回繰り返されること、前記スケジューリングウィンドウ内のリソース配分に基づいて、伝送が、前記スケジューリングウィンドウ内でＲｉｎ回繰り返され、伝送が、前記スケジューリングウィンドウの間でＲｏｕｔ回繰り返されること、前記スケジューリングウィンドウ内のリソース配分に基づいて、伝送が、前記スケジューリングウィンドウ内でＲ回繰り返されることのうちの少なくとも１つを含み、Ｒ、Ｒｉｎ、およびＲｏｕｔのうちの少なくとも１つは、前記ＲＲＣ、ＳＩＢ、またはＤＣＩによって通知され、Ｒ、Ｒｉｎ、およびＲｏｕｔは、全て正の整数である、請求項１３に記載の方法。
【請求項１６】
前記ＮＢ−ＰＤＣＣＨがＲ回繰り返し伝送するとき、前記方法は、以下：ＲがＲｘを上回らない、またはＲｘよりも小さいとき、伝送が、前記伝送ウィンドウ内でＲ回繰り返されること、ＲがＲｘを上回るとき、伝送が、前記伝送ウィンドウの間でＲ回繰り返されること、ＲがＲｘを上回るとき、伝送が、前記スケジューリングウィンドウ内でＲｉｎ回繰り返され、スケジューリングウィンドウの間でＲｏｕｔ回繰り返されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒｘ、Ｒ、Ｒｉｎ、およびＲｏｕｔは、全て正の整数である、請求項１に記載の方法。
【請求項１７】
Ｒ、Ｒｉｎ、Ｒｏｕｔ、およびＲｘのための値判定方法は、以下：
Ｒ、Ｒｉｎ、Ｒｏｕｔ、およびＲｘのうちの少なくとも１つが、ｘが以下の｛０，１，２，３，．．．，２０｝のうちの少なくとも１つである、２ｘの値を有すること、
Ｒ＝Ｒｉｎ×Ｒｏｕｔであること、
Ｒ、Ｒｉｎ、およびＲｏｕｔのうちの少なくとも１つが、異なるカバレッジレベルに基づいて異なる固定値を有するように判定され、または前記基地局は、１つの値または値のセットを構成し、値のセットとして構成されるとき、具体的値が前記ＤＣＩの中で知らされること、
Ｒｘおよび／またはＲｉｎは、以下：カバレッジレベル、スケジューリングウィンドウ長、および最大反復の数のうちの少なくとも１つによって判定されること
のうちの少なくとも１つを含む、請求項１５または請求項１６に記載の方法。
【請求項１８】
前記ＮＢ−ＰＤＳＣＨは、時間ドメイン内で連続サブフレームを占有し、占有される連続サブフレームの数を判定するための方法は、以下：
連続リソース配分を使用する、事前判定されたインジケーション範囲内で前記初期サブフレームを用いた合同コード化と、
有限セット内の要素が、連続値または非連続値である、前記有限セット内の別個のインジケーションと
のうちの少なくとも１つを含む、請求項１に記載の方法。
【請求項１９】
１つのＰＲＢ対または１つのサブフレーム内で前記ＮＢ−ＰＤＣＣＨによって使用される狭帯域制御チャネル要素（ＮＢ−ＣＣＥ）のリソース占有のためのモードは、以下：
全ての直交周波数分割多重化（ＯＦＤＭ）シンボル上で同一の６つの連続または非連続副搬送波を占有すること、
異なるＯＦＤＭシンボル上で６つの異なる非連続副搬送波を占有すること、
異なるＯＦＤＭシンボル上で６つの異なる連続副搬送波を占有すること
のうちの１つを含む、請求項１に記載の方法。
【請求項２０】
前記ＮＢ−ＰＤＣＣＨが位置する前記検索空間は、１つまたは複数の集約レベルを備え、異なる繰り返し周波数における異なる集約レベルに対応する候補セットの数を判定するための方法は、以下：
異なる集約レベルが異なる繰り返し周波数にあるとき、候補セットの数は、１であること、
異なる集約レベルが異なる繰り返し周波数にあるとき、候補セットの数は、変動すること、
１の集約レベルに対応する候補セットの数は、１を上回ること、
非最大反復の数に対応する候補セットの数は、１を上回ること、
前記反復が閾値Ｒｘを上回るまたはそれと等しいとき、候補セットの数は、１と等しく、前記反復がＲｘよりも小さいまたはそれと等しいとき、候補セットの数は、１を上回ること
のうちの少なくとも１つを含む、請求項１に記載の方法。
【請求項２１】
前記スケジューリングウィンドウの長さは、以下：前記リソース単位長、前記スケジューリングギャップ、および前記非連続伝送ギャップのうちの少なくとも１つによって判定され、前記スケジューリング長は、前記ＳＩＢまたは前記ＲＲＣを通して前記ｅＮＢによって構成され、または固定値であり、前記判定方法は、以下：
前記長さが、以下：前記リソース単位長、前記スケジューリングギャップ、および前記非連続伝送ギャップのうちの少なくとも１つを上回ること、
前記長さが、以下：前記リソース要素長、前記スケジューリングギャップ、および前記非連続伝送ギャップのうちの少なくとも１つの整数の倍数であること、
前記長さが、ｘが以下の｛１，２，３，．．．，２０｝のうちの少なくとも１つである、２ｘを満たすこと、
前記長さが、前記無線フレーム長の整数の倍数を満たすこと
のうちの少なくとも１つを含む、請求項１に記載の方法。
【請求項２２】
前記アップリンクスケジューリングウィンドウ長および前記ダウンリンクスケジューリングウィンドウ長は、同一であり、固定され、または一様に構成され、または前記アップリンクスケジューリングウィンドウ長および前記ダウンリンクスケジューリングウィンドウ長は、別個に構成され、または異なる固定値をとる、請求項１９に記載の方法。
【請求項２３】
ＮＢ−ＰＤＣＣＨ検索空間の初期サブフレームは、以下：前記スケジューリングウィンドウ長、前記オフセット値、最大反復の数（Ｒｍａｘ）、および前記リソース配分サイクルのうちの少なくとも１つに従って判定される、請求項１に記載の方法。
【請求項２４】
前記初期サブフレームが前記サイクル（Ｔ）および前記オフセット値に基づいて判定されるとき、前記初期サブフレームの位置、前記オフセット値を加えた前記初期サブフレームの位置、または前記オフセット値を引いた前記初期サブフレームの位置は、Ｔの整数の倍数であり、前記オフセット値は、前記スケジューリングウィンドウの前記長さを上回らず、前記サイクル（Ｔ）は、前記スケジューリングウィンドウ長、前記スケジューリングサイクル、もしくは前記リソース配分サイクル、または前記リソース配分サイクル、前記スケジューリングサイクル、もしくは前記スケジューリングウィンドウ長の整数の倍数である、請求項２３に記載の方法。
【請求項２５】
前記初期サブフレームが前記最大反復の数に基づいて判定されるとき、前記方法は、以下：
前記初期サブフレームが、前記サイクルの第１のサブフレームに位置することであって、前記サイクルは、前記Ｒｍａｘの整数の倍数であり、前記整数の倍数の値は、連続値または非連続値である、こと、
前記初期サブフレームが、オフセット値を加えた前記サイクルの前記第１のサブフレームに位置することであって、前記オフセット値は、ｉで除算されたＲｍａｘの整数の倍数であり、前記サイクルは、前記Ｒｍａｘの整数の倍数であり、前記整数の倍数の値は、連続値または非連続値である、こと
のうちの少なくとも１つを含む、請求項２３に記載の方法。
【請求項２６】
前記サイクルは、前記Ｒｍａｘの整数の倍数または非整数の倍数によって判定される値のセットであり、
または前記サイクルは、定数（ｍ）を加えた前記Ｒｍａｘの整数の倍数または非整数の倍数によって判定される値のセットであり、以下：
前記値セットが、１０を上回るまたはそれと等しい正の整数を備えること、
前記値セットが、１を含有しないこと、
前記値セットが、１を上回り、かつ５よりも小さい、正ではない整数を含有すること、
閾値Ｒｍａｘ＝Ｄが、異なる値セットを区別するために使用されることであって、Ｄは、固定定数、または上位層シグナリングによって構成される定数である、こと
のうちの少なくとも１つを含む、請求項２１または請求項２３に記載の方法。
【請求項２７】
ＵＥ特有の検索空間（ＵＳＳ）および共通検索空間（ＣＳＳ）に対応する値セットは、異なり、前記値セットは、以下：
前記ＣＳＳ値セットが、正ではない整数を含有しないこと、
前記ＣＳＳ値セットの最小値が、前記ＵＳＳ値セットの最小値を上回ること、
前記ＣＳＳ値セットの最大値が、前記ＵＳＳ値セットの最大値を上回ること
のうちの少なくとも１つを含む、請求項２６に記載の方法。
【請求項２８】
前記ＮＢ−ＰＤＣＣＨ、前記ＮＢ−ＰＤＳＣＨ、または前記ＮＢ−ＰＵＳＣＨは、反復伝送を有し、前記基地局は、前記ＳＩＢを通して、前記反復伝送が連続伝送またはギャップ／非連続伝送であるかどうかを通知し、以下：
非連続伝送を実行するかどうかを構成し、非連続伝送モードが、暗示的に判定されること、
非連続伝送ギャップの数を構成し、ギャップ場所が、暗示的に判定されること、
事前設定されたサイクルおよび前記サイクル内のギャップ位置を構成すること、
事前設定されたサイクルを構成し、サイクルサイズは、ギャップ持続時間と等しいこと、
２の累乗、または前記無線フレームの整数の倍数、または８の整数の倍数である、固定値を伴う固定サイクルおよび固定ギャップ持続時間
のうちの少なくとも１つを含む、請求項１に記載の方法。
【請求項２９】
前記サイクルおよび前記サイクル内の前記ギャップ位置が事前構成されるとき、前記サイクルおよび／または前記ギャップのための単位は、サブフレームまたはＲｍａｘ／ｉの倍数であり、前記サイクルおよび前記ギャップのサイズは、それぞれ、構成され、または合同コード化を通して構成され、ｉは、１〜８の整数である、請求項２８に記載の方法。
【請求項３０】
前記閾値に基づいて、前記サイクル内の前記ギャップ持続時間および前記サイクルを判定するための方法は、以下：
前記サイクルの最大値が、前記閾値よりも小さい、もしくはそれよりも小さいまたはそれと等しいこと、
前記ギャップ持続時間の最大値が、前記サイクル値よりも小さいこと、
前記ギャップ持続時間の前記最大値が、前記閾値よりも小さいことであって、前記閾値は、固定値または上位層シグナリングによって構成される値である、こと
のうちの少なくとも１つを含む、請求項２９に記載の方法。
【請求項３１】
スケジューリングギャップを判定するための装置であって、
狭帯域物理ダウンリンク制御チャネル（ＮＢ−ＰＤＣＣＨ）復調を通して、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するように設定されている、判定モジュールを備え、前記初期サブフレームを判定するための基礎は、以下：前記ＮＢ−ＰＤＣＣＨの最終サブフレーム、前記ＮＢ−ＰＤＣＣＨが位置する検索空間内の最終サブフレーム、スケジューリングウィンドウ内のリソース配分、およびスケジューリングギャップインジケーションのうちの少なくとも１つを備える、装置。
【発明の詳細な説明】
【技術分野】
【０００１】
（技術分野）
本開示は、通信の分野、具体的には、スケジューリングギャップを判定するための方法および装置を伴う。
【背景技術】
【０００２】
（背景技術）
マシンツーマシン（Ｍ２Ｍ）としても公知であるマシンタイプ通信（ＭＴＣ）および狭帯域モノのインターネット（ＮＢ−ＩｏＴ）は、現在、モノのインターネットの適用の主要な手段である。ロングタームエボリューション（ＬＴＥ）システムと比較すると、本タイプの通信システムの特性としては、概して、その帯域幅がより狭く（例えば、１．４ＭＨｚ、２００ｋＨｚ等）、より多くのユーザ機器（ＵＥ）（従来のハンドヘルド端末およびマシン、センサ端末等を備える）があり、１５ｄＢまたは２０ｄＢのカバレッジ強化を含む、カバレッジ強化要件がある。
【０００３】
現在、ＮＢ−ＩｏＴシステムのための３つの稼働シナリオがある（ＬＴＥシステム内の帯域内、ＬＴＥシステム内の保護帯域、および独立型）がある。そのような通信システムは、典型的には、独立して稼働する能力およびＬＴＥシステムと共存する能力を要求し、ＮＢ−ＩｏＴのダウンリンクサブフレームギャップおよび伝送帯域幅は、それぞれ、ＮＢ−ＩｏＴシステム内の既存のＬＴＥシステムの関連設計の再利用を促進する、ＬＴＥシステムの１つの物理リソースブロック（ＰＲＢ）の副搬送波ギャップおよび帯域幅と同一である、１５ｋＨｚおよび１８０ｋＨｚであり、ＮＢ−ＩｏＴシステムによって再利用されるＧＳＭ（登録商標）周波数スペクトルがＬＴＥシステムの周波数スペクトルに隣接するとき、２つのシステムの間の相互干渉が低減される。
【０００４】
関連技術内で、ＬＴＥシステムは、それぞれ、ダウンリンク許可（ＤＬ許可）およびアップリンク許可（ＵＬ許可）を使用して、端末のダウンリンクデータ伝送およびアップリンクデータ伝送をスケジュールし、ＤＬ許可およびＵＬ許可は、集合的にダウンリンク制御情報（ＤＣＩ）と呼ばれ、物理ダウンリンク制御チャネル（ＰＤＣＣＨ）または強化物理ダウンリンク制御チャネル（ＥＰＤＣＣＨ）ベアラを使用し、ダウンリンクデータは、物理ダウンリンク共有チャネル（ＰＤＳＣＨ）上で搬送され、アップリンクデータは、物理アップリンク共有チャネル（ＰＵＳＣＨ）上で搬送される。ＬＴＥシステムでは、ＰＤＤＣＨは、システム帯域幅の最初の４つの直交周波数分割多重化（ＯＦＤＭ）シンボルのリソースを使用し、基本集約リソース粒度として制御チャネル要素（ＣＣＥ）を使用し、伝送モードは、伝送ダイバーシティ方式を使用する。ＥＰＤＣＣＨは、システム帯域幅内のＰＲＢの一部からのリソースを使用し、基本集約リソース粒度として強化制御チャネル要素（ＥＣＥＥ）を使用し、伝送モードは、集中型伝送または分散型伝送を使用する。
【０００５】
ダウンリンク制御チャネル検索空間が、関連技術ではシステムの帯域幅内の最初の４つのＯＦＤＭシンボルに位置するため、強化ダウンリンク制御チャネルによって使用される集約レベルは、１つのサブフレーム内のみに存在し、サブフレーム内のＰＲＢの一部は、検索空間の周波数ドメインセットを形成する。したがって、周波数ドメイン内に１つだけのＰＲＢを伴うＮＢ−ＩｏＴ狭帯域システムに関して、制御チャネルは、１つまたは複数のサブフレーム内のリソースを占有するであろう。アップリンクおよびダウンリンクのスケジュールされた時間ギャップは、全て固定スケジューリングギャップであるが、狭帯域システム内のアップリンクトラフィックチャネルおよびダウンリンクトラフィックチャネルは、時間ドメイン内の複数のサブフレームを占有し、これが起こるとき、固定スケジューリングギャップを使用することは、異なる端末のトラフィックチャネルの衝突につながるであろう。狭帯域システムにおけるアップリンクスケジューリングおよびダウンリンクスケジューリングで１つのＰＲＢのサイズを判定する方法には、依然として効果的なソリューションが欠けている。
【０００６】
関連技術では、狭帯域システムにおいてスケジューリングタイミングを判定するための効果的なソリューションがまだ存在していない。
【発明の概要】
【発明が解決しようとする課題】
【０００７】
（本開示の内容）
本発明の実施形態は、固定スケジューリングギャップの使用が異なる端末のトラフィックチャネルの衝突につながる、関連技術における問題を少なくとも解決する、スケジューリングギャップを判定するための方法および装置を提供する。
【課題を解決するための手段】
【０００８】
本発明の一実施形態は、スケジュールされた狭帯域物理ダウンリンク共有チャネル（ＮＢ−ＰＤＳＣＨ）または狭帯域物理アップリンク共有チャネル（ＮＢ−ＰＵＳＣＨ）の初期サブフレームを判定するために、狭帯域物理ダウンリンク制御チャネル（ＮＢ−ＰＤＣＣＨ）を復調することを含む、スケジューリングギャップを判定するための方法を提供し、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。
【０００９】
さらに、ＮＢ−ＰＤＣＣＨの最終サブフレームに従って、ＮＢ−ＰＤＳＣＨまたはＮＢ−ＰＵＳＣＨの初期サブフレームを判定するとき、固定スケジューリングギャップが使用される。
【００１０】
さらに、複数のＮＢ−ＰＤＳＣＨが１つの物理リソースブロック（ＰＲＢ）対の中でサポートされ、固定スケジューリングギャップがＮＢ−ＰＤＳＣＨの初期サブフレームを判定するために使用されるとき、ダウンリンク制御情報（ＤＣＩ）または暗示的判定方法が、１つのＰＲＢ内のＮＢ−ＰＤＳＣＨの位置を示すために使用される。
【００１１】
さらに、ＮＢ−ＰＤＳＣＨまたはＮＢ−ＰＵＳＣＨの初期サブフレームが、ＮＢ−ＰＤＣＣＨが位置する検索空間の最終サブフレームに基づいて判定されるとき、固定スケジューリングギャップまたはスケジューリングギャップに基づくインジケーションが使用され、スケジューリングギャップインジケーションは、ＮＢ−ＰＤＳＣＨまたはＮＢ−ＰＵＳＣＨの初期サブフレームまでのＮＢ−ＰＤＣＣＨが位置する検索空間の最終サブフレームを表す。
【００１２】
さらに、ＮＢ−ＰＤＳＣＨまたはＮＢ−ＰＵＳＣＨの初期サブフレームが、ＮＢ−ＰＤＣＣＨの最終サブフレームおよびスケジューリングギャップインジケーションに基づいて判定されるとき、スケジューリングギャップのための値セットは、有限セットであり、値セットの中の要素値は、連続的または非連続的であり、値セットは、固定され、またはシステム情報ブロック（ＳＩＢ）もしくは無線リソース制御（ＲＲＣ）によって構成され、スケジューリングギャップインジケーションは、ＮＢ−ＰＤＳＣＨまたはＮＢ−ＰＵＳＣＨの初期サブフレームまでのＮＢ−ＰＤＣＣＨの最終サブフレームを示す。
【００１３】
さらに、スケジューリングギャップインジケーションは、以下のモード：単一インジケーションおよび２レベルインジケーションのうちの１つを備え、単一インジケーションは、スケジューリングギャップを示すために単一のパラメータを使用し、２レベルインジケーションの第１のインジケーションは、単一インジケーションパラメータであり、２レベルインジケーションの第２のインジケーションは、第１のインジケーションに基づくオフセット値を示し、オフセット値のための値範囲は、有限セットであり、固定され、またはＳＩＢもしくはＲＲＣによって構成される。
【００１４】
さらに、値セットは、以下：ＤＣＩで示される反復、検索空間タイプ、およびカバレッジタイプのうちの少なくとも１つによって、異なる値であることが暗示的に判定され、値セットは、以下：単一インジケーション、２レベルインジケーションの第１のインジケーション、および２レベルインジケーションの第２のインジケーションのうちの少なくとも１つを備え、値セットのうちの値に対応する単位は、サービスチャネルのリソース単位、物理サブフレーム、利用可能なサブフレーム、無線フレーム、または伝送時間ギャップであり、ＤＣＩ内の反復インジケーションの数は、以下：ＮＰ−ＰＤＳＣＨ反復、ＮＢ−ＰＵＳＣＨ反復、ＮＢ−ＰＤＣＣＨ反復のうちの少なくとも１つを備える。
【００１５】
さらに、値セットが、上位層シグナリングによって構成される最大反復の数（Ｒｍａｘ）またはＤＣＩで示される反復の数に基づいて異なる値であることが暗示的に判定されるとき、異なる値は、Ｒｍａｘ／ｉの倍数を一様に使用し、スケジューリングギャップは、同一の共通因数によって表され、ｉは、０を上回る整数であり、異なる値は、以下のモード：Ｒｍａｘ／ｉの倍数を使用すること、Ｒｍａｘ／ｉの少なくとも２つの倍数を使用することのうちの少なくとも１つを含む。
【００１６】
さらに、Ｒｍａｘ＝Ｃのデフォルトまたは構成された閾値に基づいて、それぞれ、ＲｍａｘがＣを上回るまたはそれと等しい、およびＲｍａｘがＣ未満であるとき、スケジューリング時間ギャップの値の２つのセットが、それぞれ、使用される。
【００１７】
さらに、値セットのうちの値は、以下：Ｒｍａｘ／ｉの同一の倍数を使用し、異なる共通因数を使用すること、Ｒｍａｘ／ｉの異なる倍数を使用し、同一の共通因数を使用すること、１つのグループが、Ｒｍａｘ／ｉの倍数を使用せず、別のグループが、Ｒｍａｘ／ｉの倍数を使用することのうちの少なくとも１つを含む。
【００１８】
さらに、値セットの中の要素の値は、以下：ｘが以下の｛０，１，２，３，．．．，２０｝のうちの少なくとも１つである、２ｘ、｛１０，２０，３０，４０，．．．｝等の無線フレーム長の整数の倍数、トランスポートブロックによって占有されるサブフレームの数の整数の倍数（例えば、トランスポートブロックが最大で６つのサブフレームを占有する場合、値要素は、｛６，１２，１８，２４，．．．．｝であることができる）、制御チャネル占有サブフレームの整数の倍数ｋ×２ｘ（ｋは、０を上回る、もしくは０を上回るまたはそれと等しい、正の整数である）のうちの少なくとも１つを含む。
【００１９】
さらに、値セットの中の要素の最大値を判定するための方法は、以下：リソース配分サイクル、スケジューリングサイクル、またはスケジューリングウィンドウの長さ、固定され、もしくは基地局によって構成される一意の値、それぞれ、異なるカバレッジランキングに基づいて判定されること、少なくとも１つのカバレッジランキングに基づいて判定されること、アップリンク単一搬送波伝送に基づいて判定されること、アップリンク副搬送波ギャップに基づいて判定されることのうちの少なくとも１つを含む。
【００２０】
さらに、ＮＢ−ＰＤＳＣＨまたはＮＢ−ＰＵＳＣＨの初期サブフレームがスケジューリングウィンドウ内のリソース配分に基づいて判定されるとき、スケジューリングギャップの値は、スケジューリングウィンドウのウィンドウ長よりも小さい任意の値であり、スケジューリングウィンドウ内のリソース配分は、Ｘ個のＰＲＢまたはサブフレームを超えない連続リソース配分を使用し、Ｘの値は、スケジューリングウィンドウ長よりも小さく、スケジューリングギャップは、ＮＢ−ＰＤＣＣＨの最終サブフレームから、ＮＢ−ＰＤＳＣＨまたはＮＢ−ＰＵＳＣＨの初期サブフレームまでである。
【００２１】
さらに、ＮＢ−ＰＤＳＣＨまたはＮＢ−ＰＵＳＣＨの初期サブフレームがスケジューリングウィンドウ内のリソース配分に基づいて判定されるとき、これはさらに、ＤＣＩによって動的に示されるオフセット値に基づいて合同で判定され、ＮＢ−ＰＤＳＣＨまたはＮＢ−ＰＵＳＣＨによって占有されるサブフレームリソースは、スケジューリングウィンドウにわたり、またはスケジューリングウィンドウ内のみにある。
【００２２】
さらに、カバレッジ強化シナリオが、リソース配分によって判定されるリソースを使用して、Ｒ回繰り返し伝送するとき、本方法は、以下のモード：スケジューリングウィンドウ内のリソース配分に基づいて、伝送が、スケジューリングウィンドウの間でＲ回繰り返されること、スケジューリングウィンドウ内のリソース配分に基づいて、伝送が、スケジューリングウィンドウ内でＲｉｎ回繰り返され、スケジューリングウィンドウの間でＲｏｕｔ回伝送されることのうちの少なくとも１つを含有し、Ｒ、Ｒｉｎ、およびＲｏｕｔのうちの少なくとも１つは、ＲＲＣ、ＳＩＢ、またはＤＣＩによって通知される、Ｒ、Ｒｉｎ、およびＲｏｕｔは、全て正の整数である。
【００２３】
さらに、ＮＢ−ＰＤＣＣＨがＲ回伝送を繰り返すとき、以下の方法のうちの少なくとも１つが含まれ、ＲがＲｘを上回らない、またはＲｘよりも小さいとき、伝送は、伝送ウィンドウ内でＲ回繰り返され、ＲがＲｘを上回るとき、伝送は、伝送ウィンドウの間でＲ回繰り返され、ＲがＲｘを上回るとき、伝送は、スケジューリングウィンドウ内でＲｉｎ回繰り返され、スケジューリングウィンドウの間でＲｏｕｔ回繰り返され、Ｒ、Ｒｉｎ、およびＲｏｕｔのうちの少なくとも１つは、ＲＲＣ、ＳＩＢ、またはＤＣＩによって通知され、Ｒｘ、Ｒ、Ｒｉｎ、およびＲｏｕｔは、全て正の整数である。
【００２４】
さらに、Ｒ、Ｒｉｎ、Ｒｏｕｔ、およびＲｘのための値判定方法は、以下：Ｒ、Ｒｉｎ、Ｒｏｕｔ、およびＲｘのうちの少なくとも１つは、２ｘの値を有することであって、ｘが、以下の｛０，１，２，３，．．．，２０｝のうちの少なくとも１つであり、Ｒ＝Ｒｉｎ×Ｒｏｕｔである、こと、Ｒ、Ｒｉｎ、およびＲｏｕｔのうちの少なくとも１つは、異なるカバレッジランキングに基づいて異なる固定値を有するように判定され、または基地局は、１つの値または値のセットを構成すること、値のセットとして構成されるとき、具体的値がＤＣＩの中で通知されること、Ｒｘおよび／またはＲｉｎは、以下：カバレッジランキング、スケジューリングウィンドウ長、および最大反復の数のうちの少なくとも１つによって判定されることのうちの少なくとも１つを含む。
【００２５】
さらに、ＮＢ−ＰＤＳＣＨが、時間ドメイン内で連続サブフレームを占有するとき、占有される連続サブフレームの数を判定するための方法は、以下：連続リソース配分を使用する、事前判定されたインジケーション範囲内で初期サブフレームを用いた合同コード化と、限定された値のセット内の要素が、連続値または非連続値である、限定された値のセット内の別個のインジケーションとのうちの少なくとも１つを含む。
【００２６】
さらに、１つのＰＲＢ対または１つのサブフレーム内でＮＢ−ＰＤＣＣＨによって使用される狭帯域制御チャネル要素（ＮＢ−ＣＣＥ）のリソース占有のためのモードは、以下：全ての直交周波数分割多重化（ＯＦＤＭ）シンボル上で同一の６つの連続または非連続副搬送波を占有すること、異なるＯＦＤＭシンボル上で６つの異なる非連続副搬送波を占有すること、異なるＯＦＤＭシンボル上で６つの異なる連続副搬送波を占有することのうちの１つを含む。
【００２７】
さらに、ＮＢ−ＰＤＣＣＨが位置する検索空間は、１つまたは複数の集約レベルを備え、異なる繰り返し周波数における異なる集約レベルに対応する候補セットの数を判定するための方法は、以下：異なる集約レベルが異なる繰り返し周波数にあるとき、候補セットの数は、１であること、異なる集約レベルが異なる繰り返し周波数にあるとき、候補セットの数は、変動すること、１の集約レベルに対応する候補セットの数は、１を上回ること、非最大反復の数に対応する候補セットの数は、１を上回ることのうちの少なくとも１つを含む。
【００２８】
反復が閾値Ｒｘを上回る、もしくはそれを上回るまたはそれと等しいとき、候補セットの数は、１と等しく、反復がＲｘよりも小さい、もしくはそれよりも小さいまたはそれと等しいとき、候補セットの数は、１を上回る。
【００２９】
さらに、スケジューリングウィンドウの長さは、以下：リソース単位長、スケジューリングギャップ、および非連続伝送ギャップのうちの少なくとも１つによって判定される。スケジューリングウィンドウの長さは、ＳＩＢまたはＲＲＣを通してｅＮＢによって構成され、または固定長である。判定方法は、以下：長さが、以下：リソース単位長、スケジューリングギャップ、および非連続伝送ギャップのうちの少なくとも１つを上回ること、長さが、以下：リソース要素長、スケジューリングギャップ、および非連続伝送ギャップのうちの少なくとも１つの整数の倍数であること、長さが、ｘが以下の｛１，２，３，．．．，２０｝のうちの少なくとも１つである、２ｘを満たすこと、長さが、無線フレーム長の整数の倍数を満たすことのうちの少なくとも１つを含む。
【００３０】
さらに、アップリンクスケジューリングウィンドウ長およびダウンリンクスケジューリングウィンドウ長は、同一であり、固定され、または一様に構成され、または、アップリンクスケジューリングウィンドウ長およびダウンリンクスケジューリングウィンドウ長は、独立して構成され、または異なる固定値をとる。
【００３１】
さらに、ＮＢ−ＰＤＣＣＨが位置する検索空間の初期サブフレームは、以下：スケジューリングウィンドウ長、オフセット値、最大反復の数（Ｒｍａｘ）、およびリソース配分サイクルのうちの少なくとも１つに従って判定される。
【００３２】
さらに、初期サブフレームがサイクル（Ｔ）およびオフセット値に基づいて判定されるとき、初期サブフレームの位置、オフセット値を加えた初期サブフレームの位置、またはオフセット値を引いた初期サブフレームの位置は、Ｔの整数の倍数であり、オフセット値は、スケジューリングウィンドウの長さを上回らず、サイクル（Ｔ）は、スケジューリングウィンドウ長、スケジューリングサイクル、もしくはリソース配分サイクル、またはリソース配分サイクル、スケジューリングサイクル、もしくはスケジューリングウィンドウ長の整数の倍数である。
【００３３】
さらに、初期サブフレームが最大反復の数に基づいて判定されるとき、本方法は、以下：初期サブフレームは、サイクルの第１のサブフレームに位置することであって、サイクルは、Ｒｍａｘの整数の倍数であり、整数の倍数の値は、連続値または非連続値であり、連続値は、例えば、｛１，２，３，４．．．｝である、非連続値は、例えば、｛１，２，４，８．．．｝である、こと、初期サブフレームは、オフセット値を加えたサイクルの第１のサブフレームに位置することであって、オフセット値は、ｉで除算されたＲｍａｘの整数の倍数であり、サイクルは、Ｒｍａｘの整数の倍数であり、整数の倍数の値は、連続値または非連続値であり、連続値は、例えば、｛１，２，３，４．．．｝であり、非連続値は、例えば、｛１，２，４，８．．．｝である、ことのうちの少なくとも１つを含む。
【００３４】
さらに、サイクルは、Ｒｍａｘの整数の倍数または非整数の倍数によって判定される値のセットであり、またはサイクルは、定数（ｍ）を加えたＲｍａｘの整数の倍数または非整数の倍数によって判定される値のセットであり、以下：値セットは、１０を上回るまたはそれと等しい正の整数を備えること、値セットは、１を含有しないこと、値セットは、１を上回り、かつ５よりも小さい、正ではない整数を含有すること、異なる値セットを区別するために閾値Ｒｍａｘ＝Ｄの基礎を使用することであって、Ｄは、固定定数、または上位層シグナリングによって構成される定数である、ことのうちの少なくとも１つを含む。
【００３５】
さらに、ＵＥ特有の検索空間（ＵＳＳ）および共通検索空間（ＣＳＳ）に対応する値セットは、異なり、値セットは、以下：ＣＳＳ値セットは、正ではない整数を含有しないこと、ＣＳＳ値セットの最小値は、ＵＳＳ値セットの最小値を上回ること、ＣＳＳ値セットの最大値は、ＵＳＳ値セットの最大値を上回ることのうちの少なくとも１つを含む。
【００３６】
さらに、ＮＢ−ＰＤＣＣＨ、ＮＢ−ＰＤＳＣＨ、またはＮＢ−ＰＵＳＣＨは、反復伝送を有し、基地局は、ＳＩＢを通して、反復伝送が連続伝送またはギャップ／非連続伝送であるかどうかを通知し、以下：非連続伝送を実行するかどうかを構成し、非連続伝送モードは、暗示的に判定されること、非連続伝送ギャップの数を構成し、ギャップ場所は、暗示的に判定されること、事前設定されたサイクルおよびサイクル内のギャップ位置を構成すること、事前設定されたサイクルを構成し、サイクルサイズは、ギャップ持続時間と等しいこと、２の累乗、無線フレームの整数の倍数、または８の整数の倍数である、固定値を伴う固定サイクルおよび固定ギャップ持続時間のうちの少なくとも１つを含む。
【００３７】
さらに、サイクル内のギャップ位置およびサイクルが事前構成されるとき、サイクルおよび／またはギャップのための単位は、サブフレームまたはＲｍａｘ／ｉの倍数であり、サイクルおよびギャップのサイズは、それぞれ、構成され、または合同コード化を通して構成され、ｉは、１〜８の整数である。
【００３８】
さらに、閾値に基づいて、サイクル内のギャップ持続時間およびサイクルを判定するための方法は、以下：サイクルの最大値は、閾値よりも小さい、もしくはそれよりも小さいまたはそれと等しいこと、ギャップ持続時間の最大値は、サイクル値よりも小さいこと、ギャップ持続時間の最大値は、閾値よりも小さいことであって、閾値は、固定値または上位層シグナリングによって構成される値であることのうちの少なくとも１つを含む。
【００３９】
本発明の別の実施形態はさらに、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するために、狭帯域物理ダウンリンク制御チャネル（ＮＢ−ＰＤＣＣＨ）を復調するように設定される、判定モジュールを備える、スケジューリングギャップを判定するための装置を提供し、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。
【００４０】
本発明の実施形態はさらに、コンピュータ実行可能命令を記憶することができる、コンピュータ記憶媒体を提供し、コンピュータ実行可能命令は、上記の実施形態のスケジューリングギャップを判定するための方法を実行するために使用される。
【００４１】
本発明の実施形態の実装を用いると、狭帯域物理ダウンリンク制御チャネル（ＮＢ−ＰＤＣＣＨ）は、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するために復調され、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備え、それによって、インジケーション支出を節約し、リソースをより効率的に使用する、狭帯域システムにおいてスケジューリングを判定する方法の問題と、固定時間ギャップに起因するリソース不平等によって引き起こされるリソースの無駄の問題との両方を解決し、それによって、連続伝送輻輳の問題を解決する。
【００４２】
付随する図面は、本発明の理解を促進するために提供され、本願の１つの構成要素を構成する。本発明の例証的実施形態およびそれらの解説は、本発明を解説するように意図されており、その請求項を限定する役割を果たすものではない。
【図面の簡単な説明】
【００４３】
【図１】図１は、本発明の好ましい実施形態に基づく、スケジューリングギャップを判定するための方法のフローチャートである。
【図２】図２は、本発明の好ましい実施形態に基づく、非連続伝送のためのギャップ位置およびギャップ数を暗示的に判定することの概略図である。
【図３】図３は、本発明の好ましい実施形態に基づく、事前設定されたサイクルおよびサイクル内のギャップ位置を構成するための概略図である。
【図４】図４は、本発明の好ましい実施形態に基づく、サイクルサイズがギャップ持続時間に等しい、事前設定されたサイクルを構成するための概略図である。
【図５】図５は、本発明の好ましい実施形態に基づく、スケジューリングギャップを判定するための装置の構造図である。
【図６】図６は、本発明の好ましい実施形態に基づく、ＯＦＤＭシンボルの全ての中で同一の連続的な６つの副搬送波を占有するＮＢ−ＣＣＥの概略図である。
【図７】図７は、本発明の好ましい実施形態に基づく、ＯＦＤＭシンボルの全ての中で同一の非連続的な６つの副搬送波を占有するＮＢ−ＣＣＥの概略図である。
【図８】図８は、本発明の好ましい実施形態に基づく、異なるＯＦＤＭシンボル上で６つの異なる非連続副搬送波を占有するＮＢ−ＣＣＥの概略図である。
【図９】図９は、本発明の好ましい実施形態に基づく、異なるＯＦＤＭシンボル上で６つの異なる連続副搬送波を占有するＮＢ−ＣＣＥの概略図１である。
【図１０】図１０は、本発明の好ましい実施形態に基づく、異なるＯＦＤＭシンボル上で６つの異なる連続副搬送波を占有するＮＢ−ＣＣＥの概略図２である。
【図１１】図１１は、本発明の好ましい実施形態に基づく、スケジューリングサイクルまたはスケジューリングウィンドウ内のリソース配分によって暗示的に判定されているスケジューリングギャップの概略図である。
【図１２】図１２は、本発明の好ましい実施形態に基づく、動的オフセット値と組み合わせられた、スケジューリングサイクルまたはスケジューリングウィンドウ内のリソース配分によって判定されているスケジューリングギャップの概略図である。
【図１３】図１３は、本発明の好ましい実施形態に基づく、ＤＣＩ動的インジケーションによって判定されているスケジューリングギャップの概略図１である。
【図１４】図１４は、本発明の好ましい実施形態に基づく、複数の狭帯域を使用するときに、固定値を伴うスケジューリングギャップを判定することの概略図である。
【図１５】図１５は、本発明の好ましい実施形態に基づく、複数の狭帯域が使用されるときに、ＮＢ−ＰＤＣＣＨが位置する検索空間の最終サブフレーム固定オフセット値を伴うスケジューリングギャップを判定することの概略図である。
【図１６】図１６は、本発明の好ましい実施形態に基づく、スケジューリングサイクルまたはスケジューリングウィンドウ内のリソース配分を伴うスケジューリングギャップを暗示的に判定することの概略図である。
【図１７】図１７は、本発明の好ましい実施形態に基づく、ＤＣＩ動的インジケーションによって判定されているスケジューリングギャップの概略図２である。
【図１８】図１８は、本発明の好ましい実施形態に基づく、ＮＢ−ＰＤＣＣＨが位置する検索空間の最終サブフレーム固定値に基づいて、またはＤＣＩ動的インジケーションを用いて、スケジューリングギャップを判定することの概略図である。
【発明を実施するための形態】
【００４４】
本発明は、付随する図面および実施形態を参照して詳細に説明されるであろう。本願の実施形態およびそれらの特性は、矛盾しない様式で組み合わせられ得ることに留意されたい。
【００４５】
本発明の説明、図面、および請求項は、同様のオブジェクトを区別するためだけに「第１の」および「第２の」という用語を使用し、具体的順序または順番を説明しないことにも留意されたい。
【００４６】
本実施形態は、スケジューリングギャップを判定するための方法を提供する。図１は、本実施形態のスケジューリングギャップを判定するための方法のフローチャートである。図１が示すように、プロセスは、以下のステップを含む。
【００４７】
ステップＳ１０２では、狭帯域物理ダウンリンク制御チャネル（ＮＢ−ＰＤＣＣＨ）を復調する。
【００４８】
ステップＳ１０４では、ＮＢ−ＰＤＣＣＨ復調を通して、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定し、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。
【００４９】
狭帯域物理アップリンク共有チャネル（ＮＢ−ＰＵＳＣＨ）または狭帯域（物理）ダウンリンク共有チャネル（ＮＢ−ＰＤＳＣＨ）の初期サブフレームが、ＮＢ−ＰＤＣＣＨ復調を通して判定される、上記のステップの実装は、狭帯域システムにおいてスケジューリングギャップをスケジュールする方法の問題を解決し、それによって、インジケーション支出を節約し、リソース使用の効率を増加させる。
【００５０】
本発明の実施形態内で、ＮＢ−ＰＤＣＣＨの最終サブフレームに基づいて、ＮＢ−ＰＤＳＣＨまたはＮＢ−ＰＵＳＣＨの初期サブフレームを判定するとき、固定スケジューリングギャップが使用される。
【００５１】
本発明の実施形態内で、１つの物理リソースブロック（ＰＲＢ）対が複数のＮＢ−ＰＤＳＣＨをサポートし、固定スケジューリングギャップがＮＢ−ＰＤＳＣＨの初期サブフレームを判定するために使用されるとき、ダウンリンク制御情報（ＤＣＩ）または暗示的判定モードを通して、ＰＲＢ内のＮＢ−ＰＤＳＣＨの位置を示す。
【００５２】
本発明の実施形態内で、ＮＢ−ＰＤＳＣＨまたはＮＢ−ＰＵＳＣＨの初期サブフレームが、ＮＢ−ＰＤＣＣＨが位置する検索空間の最終サブフレームに従って判定されるとき、固定スケジューリングギャップまたはスケジューリングギャップに基づくインジケーションが使用され、スケジューリングギャップインジケーションは、ＮＢ−ＰＤＳＣＨまたはＮＢ−ＰＵＳＣＨの初期サブフレームまでのＮＢ−ＰＤＣＣＨが位置する検索空間の最終サブフレームを表す。
【００５３】
本発明の実施形態内で、ＮＢ−ＰＤＳＣＨまたはＮＢ−ＰＵＳＣＨの初期サブフレームが、ＮＢ−ＰＤＣＣＨの最終サブフレームおよびスケジューリングギャップインジケーションに基づいて判定されるとき、スケジューリングギャップのための値セットは、有限セットであり、値セットのうちの要素値は、連続的または非連続的であり、値セットは、固定され、またはシステム情報ブロック（ＳＩＢ）もしくは無線リソース制御（ＲＲＣ）によって構成され、スケジューリングギャップインジケーションは、ＮＢ−ＰＤＳＣＨまたはＮＢ−ＰＵＳＣＨの初期サブフレームまでのＮＢ−ＰＤＣＣＨの最終サブフレームを表す。
【００５４】
本発明の実施形態内で、スケジューリングギャップインジケーションは、以下のモード：単一インジケーションおよび２レベルインジケーションのうちの１つを備え、単一インジケーションは、スケジューリングギャップを示すために単一のパラメータを使用し、２レベルインジケーションの第１のインジケーションは、単一インジケーションパラメータであり、２レベルインジケーションの第２のインジケーションは、第１のインジケーションに基づくオフセット値を示し、値セットは、固定され、またはＳＩＢもしくはＲＲＣによって構成される。
【００５５】
本発明の実施形態内で、値セットは、以下：ＤＣＩで示される反復、検索空間タイプ、およびカバレッジタイプのうちの少なくとも１つによって、異なる値であるように暗示的に判定され、値セットは、以下：単一インジケーション、２レベルインジケーション、２レベルインジケーションの第１のインジケーション、２レベルインジケーションの第２のインジケーションのうちの少なくとも１つを備え、値セットのうちの値に対応する単位は、サービスチャネルのリソース単位、物理サブフレーム、利用可能なサブフレーム、無線フレーム、または伝送スケジューリングギャップであり、ＤＣＩで示される反復は、以下：ＮＰ−ＰＤＳＣＨ反復、ＮＢ−ＰＵＳＣＨ反復、ＮＢ−ＰＤＣＣＨ反復のうちの少なくとも１つを備える。
【００５６】
本発明の実施形態内で、データセットが、ＤＣＩで示される反復または高レベルシグナリングによって構成される最大反復の数（Ｒｍａｘ）に基づいて異なる値であることが暗示的に判定されるとき、異なる値は、Ｒｍａｘ／ｉの倍数を一様に使用し、スケジューリングギャップは、同一の共通因数を使用し、ｉは、０を上回る正の整数であり、異なる値は、以下のうちの少なくとも１つを含む。
Ｒｍａｘ／ｉの倍数を使用し、例えば、倍数としてＲｍａｘ／８のみを使用し、ｋｉ＊Ｒｍａｘ／８またはｋｉ＊Ｒｍａｘ／８＋４として表される、３ビットを使用して示される、同一の共通因数ｋｉ＝｛ｋ１，ｋ２，ｋ３，ｋ４，ｋ５，ｋ６，ｋ７，ｋ８｝である。ｋ１〜ｋ８は、連続または非連続値の両方であることができ、また、単一インジケーションまたは２レベルインジケーションによって判定されることもできる。最適には、ｋ１〜ｋ８は、｛０，１，２，３，４，５，６，７｝、または｛０，１，２，４，６，８，１２，１６｝、または｛０，１，２，４，６，８，１０，１２｝、または｛０，１，２，４，８，１２，１６，２４｝である。
Ｒｍａｘ／ｉの少なくとも２つの倍数を使用する。例えば、それぞれ、｛０，１，２，３＊Ｒｍａｘ／４｝＋｛０，Ｒｍａｘ／８｝＝｛０，１，２，３，４，５，８，９｝Ｒｍａｘ／８、｛０，１，２，３＊Ｒｍａｘ／２｝＋｛０，Ｒｍａｘ／８｝＝｛０，１，４，５，８，９，１２，１３｝Ｒｍａｘ／８、ｋ４＝Ｒｍａｘ、ｋ３＝ｋ４／２、ｋ２＝ｋ４／４、ｋ１＝ｋ４／８であるとき、｛ｋ１，ｋ２，ｋ３，ｋ４｝＋｛０，ｋｉ／２｝＝｛１，３／２，２，３，４，６，８，１２｝Ｒｍａｘ／８、ｋ４＝８＊Ｒｍａｘ／８、ｋ３＝ｋ４／２、ｋ２＝ｋ４／４、ｋ１＝０であるとき、｛ｋ１，ｋ２，ｋ３，ｋ４｝＋｛０，ｋｉ／２｝＝｛０，１，２，３，４，６，８，１２｝Ｒｍａｘ／８等の２レベルインジケーションの異なるレベルの倍数として、使用する。
【００５７】
本発明の実施形態内で、Ｒｍａｘ＝Ｃのデフォルトまたは構成された閾値に基づいて、それぞれ、ＲｍａｘがＣを上回るまたはそれと等しい、およびＲｍａｘがＣ未満であるとき、スケジューリングギャップの２つのセットからの値セットが、それぞれ、使用され、値セットのうちの値は、以下のうちの少なくとも１つを含む。
Ｒｍａｘ／ｉの同一の倍数を使用し、異なる共通因数を使用する。例えば、倍数として同じＲｍａｘ／８を使用し、値セットの２つのグループは、（ｋ１〜ｋ７）＊Ｒｍａｘ／８、（ｙ１〜ｙ７）＊Ｒｍａｘ／８である。例えば、１つのグループは、｛０，１，２，３，４，５，６，７｝であり、別のグループは、｛０，２，４，６，８，１２，１６，２４｝であり、Ｃは、事前設定された値である。
Ｒｍａｘ／ｉの異なる倍数を使用し、同一の共通因数を使用する。例えば、同じ共通因数（ｋ１〜ｋ７）を使用し、（ｋ１〜ｋ７）＊Ｒｍａｘ／８、（ｋ１〜ｋ７）＊Ｒｍａｘ／４等のＲｍａｘ／ｉの異なる倍数を使用する。
【００５８】
１つのグループは、Ｒｍａｘ／ｉの倍数を使用せず、別のグループは、Ｒｍａｘ／ｉの倍数を使用する。例えば、１つのグループは、Ｄが定数である、（ｋ１〜ｋ７）＊Ｄの値を有し、別のグループは、（ｙ１〜ｙ７）＊Ｒｍａｘ／８の値を有する。例えば、同じ共通因数（ｋ１〜ｋ７）を使用して、比較的大きいＲｍａｘは、絶対値を使用し、比較的小さいＲｍａｘは、Ｒｍａｘ／８を使用する。１つのグループは、（ｋ１〜ｋ７）＊Ｄの値を有し、別のグループは、（ｋ１〜ｋ７）＊Ｒｍａｘ／８の値を有する。
【００５９】
Ｒｍａｘ／８が１よりも小さい場合、一様に端数を１に切り上げられる。
【００６０】
それが単一インジケーションまたは２レベルインジケーションの任意のレベルであるかどうかにかかわらず、対応する値セットは、ＳＩＢもしくはＲＲＣによって構成され、または以下：ＤＣＩによって示される、ＮＢ−ＰＤＳＣＨ、ＮＢ−ＰＵＳＣＨ、またはＮＢ−ＰＤＣＣＨのうちの少なくとも１つに基づいて、暗示的に判定される。ＣＳＳ内で伝送されるＤＣＩに関して、例えば、値セットは、ＳＩＢによって構成され、ＵＳＳ内で伝送されるＤＣＩに関して、値セットは、ＲＲＣによって構成される。値セットの要素は、２、４、６、８、１０、または１６等であることができる。例えば、２レベルインジケーションの第１のレベルは、２つの値｛ｋ１，ｋ２｝を示す１ビット、または４つの値｛ｋ１，ｋ２，ｋ３，ｋ４｝を示す２ビット、または８つの値｛ｋ１，ｋ２，ｋ３，ｋ４，ｋ５，ｋ６，ｋ７，ｋ８｝を示す３ビットであり、最大のｋ値（ｋｍａｘ）は、ｅＮＢによって構成され、残りは、４つの値を用いて等、暗示的に取得され、ｋ４＝ｋｍａｘは、ｅＮＢによって構成され、ｋ３＝ｋ４／２、ｋ２＝ｋ４／４、ｋ１＝ｋ４／８であり、ｋｍａｘのための可能性として考えられる値のセットは、｛４，８，１６，３２，６４，１２８，２５６｝またはそれらのサブフレームである。
【００６１】
ＲＲＣを通して構成されるとき、ｋｍａｘ値は、ｋｍａｘを３２として構成する通常のカバレッジ、およびｋｍａｘを２５６として構成する強化カバレッジを用いて等、端末カバレッジタイプに基づいて構成され、またはｋｍａｘは、ダウンリンクスケジューリングギャップを判定するとき等に、ＳＩＢまたはＲＲＣ構成を必要とすることなく、以下：ＤＣＩによって示される、ＮＢ−ＰＤＳＣＨ、ＮＢ−ＰＵＳＣＨ、またはＮＢ−ＰＤＣＣＨのうちの少なくとも１つに基づいて、暗示的に判定され、ＤＣＩは、ＮＢ−ＰＤＳＣＨ反復がＲ＝２５６であり、ｋｍａｘ＝Ｒ、Ｒ／２、Ｒ／４、またはＲ／８であること等を示す。第２レベルインジケーションが、｛０，１｝、｛０，２｝、または｛０，４｝を示す１ビット、｛０，１，２，３｝、｛０，１，２，４｝、もしくは｛０，２，４，６｝を示す２ビット、｛０，１，２，３，４，５，６，７｝を示す３ビット等の固定値であり、または第２レベルインジケーションが、例えば、｛０，１ｘ，２ｘ，３ｘ｝を示す２ビットを伴う、構成された値セットであるとき、ｘは、第１レベルインジケーションの最小ｋ値（ｋｍｉｎ）であり、またはｘは、ｋｍｉｎ／４、ｋｍｉｎ／２、ｋｍａｘ／１６、もしくはｋｍａｘ／３２である。
【００６２】
２レベルインジケーションを用いると、第１レベルインジケーションは、スケジューリングギャップを取得するように第２レベルインジケーションに加算され、または第１レベルインジケーションは、スケジューリングギャップを取得するように第２レベルインジケーションで乗算され、または第１レベルインジケーションは、スケジューリングギャップを取得するように第２レベルインジケーションによって判定されるリソース単位長と組み合わせられる、数値を判定する。単一インジケーションによって判定される値セットはまた、２つのレベルのインジケーションを受けると見なされ、上記の方式で計算されることもできる。
【００６３】
上記の組み合わせ選択のうちの１つが、以下に列挙される。例えば、ｋ４＝３２を構成し、または暗示的に取得するとき、第２レベルインジケーション｛０，１，２，３｝を用いると、２つのレベルの合計が採用され、スケジューリングタイミング値セットは、セット｛４，５，６，７，８，９，１０，１１，１６，１７，１８，１９，３２，３３，３４，３５｝のうちの１つを示す４ビットである。残りの組み合わせは、類似し、ここではさらに議論されないであろう。
【００６４】
代替として、第２レベルインジケーションは、第１レベルインジケーションに基づいて判定を行い、すなわち、異なる第１レベルインジケーション値に対応する第２レベルインジケーション値セットは、同様ではない。最適には、比較的大きいレベル１インジケーションに対応する第２レベルインジケーションの粒度もまた、比較的大きい。２ビット第１レベルインジケーションおよび２ビット第２レベルインジケーションを実施例として使用し、第１レベルインジケーションがｋｉ（ｉ＝１，２，３，４）である場合、第２レベルインジケーションは、｛０，１ｘ，２ｘ，３ｘ｝であり、ｘ＝ｋｉ／４、ｋｉ／２、またはｋｉである。
【００６５】
スケジュールされたページングのためのＤＣＩの中のスケジューリングギャップインジケーションの値セットは、スケジュールされたユニキャストサービスのためのＤＣＩの中のスケジューリングギャップインジケーションの値セットと異なる。（状況１）スケジュールされたページングのためのＤＣＩの中のスケジューリングギャップインジケーションの値セット要素数量は、スケジュールされたユニキャストサービスのためのＤＣＩの中のスケジューリングギャップインジケーションの値セット数量と同一であるが、具体的値要素は、異なり、前者の値セットの要素ギャップは、さらに大きい。例えば、スケジュールされたページング非連続値セットの中の最大ｋ値は、スケジュールされたユニキャストサービス非連続値セットの中の最大ｋ値を上回り、２レベルインジケーションを使用するとき、第１レベルインジケーションのｋ４は、異なり、後続のｋ１−ｋ３を取得するためのモードも異なる。例えば、スケジュールされたページング非連続値セット内で、ｋ３＝ｋ４／４、ｋ２＝ｋ４／１６、ｋ１＝ｋ４／６４であり、スケジュールされたユニキャストサービス非連続値セット内で、ｋ３＝ｋ４／２、ｋ２＝ｋ４／４、ｋ１＝ｋ４／８である。（状況２）スケジュールされたページングのためのＤＣＩの中のスケジューリングギャップインジケーションの値セット要素数量は、スケジュールされたユニキャストサービスのためのＤＣＩの中のスケジューリングギャップインジケーションの値セット数量を上回るが、具体的値要素は、異なり、前者の値セットの要素ギャップは、さらに大きい。
【００６６】
値セットの値に対応する単位は、サービスチャネル、物理サブフレーム、または利用可能なサブフレームのリソース単位である。最適には、２レベルインジケーションがＮＢ−ＰＵＳＣＨスケジューリングギャップを判定するとき、第１レベルインジケーション単位は、リソース単位であり、第２レベルインジケーション単位は、サブフレームである。
【００６７】
本発明の実施形態内で、データセットの中の要素の値は、以下：ｘが以下の｛０，１，２，３，．．．，２０｝のうちの少なくとも１つである、２ｘ、｛１０，２０，３０，４０，．．．｝等の無線フレーム長の整数の倍数、トランスポートブロックによって占有されるサブフレームの数の整数の倍数（例えば、トランスポートブロックが最大で６つのサブフレームを占有する場合、値要素は、｛６，１２，１８，２４，．．．．｝であることができる）、制御チャネル占有サブフレームの整数の倍数ｋ×２ｘ（ｋは、０を上回る、もしくは０を上回るまたはそれと等しい、正の整数である）のうちの少なくとも１つを含む。
【００６８】
本発明の実施形態内で、データセットの中の要素の最大値を判定するための方法は、以下：リソース配分サイクル、スケジューリングウィンドウ、またはスケジューリングサイクルの長さ、固定され、または基地局によって構成される一意の値、それぞれ、異なるカバレッジランキングに基づいて判定されること、少なくとも１つのカバレッジランキングに基づいて判定されること、アップリンク単一搬送波伝送に基づいて判定されること、アップリンク副搬送波ギャップに基づいて判定されることのうちの少なくとも１つを含む。
【００６９】
データセットの中の要素の最大値を判定するための方法は、以下：リソース配分ウィンドウ、スケジューリングサイクル、またはスケジューリングウィンドウの長さ、すなわち、値セットのうちの要素の最大値は、サイクルまたはスケジューリングウィンドウの長さと等しい、もしくはそれを上回らない、固定され、または基地局によって構成される一意の値、すなわち、値セットのうちの最大値は、一意の値である、異なるカバレッジランキングに対応する最大値が異なる、異なるカバレッジランキングに基づく個別の判定、少なくとも１つのカバレッジランキングに基づく判定、すなわち、カバレッジランキング０および１のための同一の対応する最大値ならびにカバレッジランキング２および３のための同一の対応する最大値等の、異なるカバレッジランキングに対応する最大値が同一になることを可能にすること、アップリンク単一搬送波伝送に基づく判定、すなわち、アップリンク単一搬送波伝送およびアップリンク多重搬送波伝送に対応する最大値は、異なる、アップリンク１５ｋＨｚ副搬送波ギャップに対応する最大値と異なる、アップリンク３．７５ｋＨｚ副搬送波ギャップに対応する最大値等のアップリンク副搬送波ギャップに基づく判定のうちの少なくとも１つを含むことに留意されたい。
【００７０】
本発明の実施形態内で、ＮＢ−ＰＤＳＣＨまたはＮＢ−ＰＵＳＣＨの初期サブフレームが、スケジューリングウィンドウ内のリソース配分に基づいて判定されるとき、スケジューリング非連続値は、スケジューリングウィンドウ長の任意の値よりも小さく、スケジューリングウィンドウ内のリソース配分は、多くてもＸ個のＰＲＢまたはサブフレームの連続リソース配分を使用し、Ｘの値は、スケジューリングウィンドウ長よりも小さく、Ｘは、好ましくは、６であり、スケジューリングギャップは、ＮＢ−ＰＤＳＣＨまたはＮＢ−ＰＵＳＣＨの初期サブフレームまでのＮＢ−ＰＤＣＣＨの最終サブフレームである。
【００７１】
上記のスケジューリングウィンドウは、スケジューリングサイクル、リソース配分サイクル、リソース配分範囲等の異なる用語で表され得ることに留意されたい。
【００７２】
本発明の実施形態内で、ＮＢ−ＰＤＳＣＨまたはＮＢ−ＰＵＳＣＨの初期サブフレームがスケジューリングウィンドウ内のリソース配分に基づいて判定されるとき、これはさらに、ＤＣＩによって動的に示されるオフセット値に基づいて合同で判定され、ＮＢ−ＰＤＳＣＨまたはＮＢ−ＰＵＳＣＨによって占有されるサブフレームリソースは、スケジューリングウィンドウにわたり、またはスケジューリングウィンドウ内にある。
【００７３】
本発明の実施形態内で、カバレッジ強化シナリオが、Ｒ回の反復伝送のために、リソース配分によって構成されるリソースを使用するとき、本方法は、以下の方法：スケジューリングウィンドウ内のリソース配分に基づいて、伝送は、スケジューリングウィンドウの間でＲ回繰り返されること、スケジューリングウィンドウ内のリソース配分に基づいて、伝送は、スケジューリングウィンドウ内でＲｉｎ回繰り返され、スケジューリングウィンドウの間でＲｏｕｔ回伝送されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒ、Ｒｉｎ、およびＲｏｕｔは、全て正の整数である。
【００７４】
本発明の実施形態内で、ＮＢ−ＰＤＣＣＨがＲ回繰り返し伝送するとき、本方法は、以下：ＲがＲｘを上回らない、またはＲｘよりも小さいとき、伝送は、伝送ウィンドウ内でＲ回繰り返されること、ＲがＲｘを上回るとき、伝送は、伝送ウィンドウの間でＲ回繰り返されること、ＲがＲｘを上回るとき、伝送は、スケジューリングウィンドウ内でＲｉｎ回繰り返され、スケジューリングウィンドウの間でＲｏｕｔ回繰り返されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒｘ、Ｒ、Ｒｉｎ、およびＲｏｕｔは、全て正の整数である。
【００７５】
本発明の実施形態内で、Ｒ、Ｒｉｎ、Ｒｏｕｔ、およびＲｘの値を判定するための方法は、以下：Ｒ、Ｒｉｎ、Ｒｏｕｔ、およびＲｘのうちの少なくとも１つは、２ｘの値を有することであって、ｘが、以下の｛０，１，２，３，．．．，２０｝のうちの少なくとも１つであり、Ｒ＝Ｒｉｎ×Ｒｏｕｔである、こと、Ｒ、Ｒｉｎ、およびＲｏｕｔのうちの少なくとも１つは、異なるカバレッジランキングに基づいて異なる固定値を有するように判定され、または基地局は、１つの値または値のセットを構成すること、値のセットとして構成されるとき、具体的値がＤＣＩの中で通知されること、Ｒｘおよび／またはＲｉｎは、以下：カバレッジランキング、スケジューリングウィンドウ長、および最大反復のうちの少なくとも１つによって判定されることのうちの少なくとも１つを含む。
【００７６】
例えば、Ｒｘおよび／またはＲｉｎは、通常のカバレッジに基づいて、４であるように判定され、もしくはＲｘおよび／またはＲｉｎは、スケジューリングウィンドウの長さに従って、スケジューリングウィンドウ長の値を上回らないように判定され、もしくはＲｘおよび／またはＲｉｎは、スケジューリングウィンドウの長さならびに反復の最大数に基づいてスケジューリングウィンドウ長および最大反復を上回らないように判定される。
【００７７】
例えば、３２ｍｓのウィンドウ長を用いると、ＮＢ−ＰＤＳＣＨは、リソース配分を通して６〜１１個のサブフレームを占有するように判定され、ＤＣＩの中の３ビット情報は、ＮＢ−ＰＤＳＣＨ伝送に使用される値セット｛１，２，４，８，１６，３２，６４，１２８｝の中でＲ＝３２であることを示す。方法１は、各ウィンドウ内で同一のサブフレーム位置を占有する、３２個のスケジューリングウィンドウ内で伝送を繰り返すものである。方法２は、基地局がＲｉｎ＝４回繰り返すようにスケジューリングウィンドウに通知することであり、Ｒｏｕｔは、Ｒｍａｘ／Ｒｉｎ＝８を通して暗示的に取得される。この場合、ＮＢ−ＰＤＳＣＨは、８つのスケジューリングウィンドウ内で伝送を繰り返し、スケジューリングウィンドウ内で伝送を４回繰り返す。
【００７８】
本発明の実施形態内で、ＮＢ−ＰＤＳＣＨは、時間ドメイン内で連続サブフレームを占有し、占有された連続サブフレームの数を判定するための方法は、以下：連続リソース配分を使用する、事前判定されたインジケーション範囲内で初期サブフレームを用いた合同コード化と、限定された値セットのうちの要素が、連続値または非連続値である、限定された値セット内の別個のインジケーションとのうちの少なくとも１つを含む。
【００７９】
本発明の実施形態内で、１つのＰＲＢ対または１つのサブフレーム内でＮＢ−ＰＤＣＣＨによって使用されるＮＢ−ＣＣＥのリソースを占有するためのモードは、以下：全ての直交周波数分割多重化（ＯＦＤＭ）シンボル上で同一の６つの連続または非連続副搬送波を占有すること、異なるＯＦＤＭシンボル上で６つの異なる非連続副搬送波を占有すること、異なるＯＦＤＭシンボル上で６つの異なる連続副搬送波を占有することのうちの１つを含む。
【００８０】
ＮＢ−ＣＣＥは、サブフレームまたはＯＦＤＭシンボル内の異なるセルＩＤに基づいて異なるリソースを占有することに留意されたい。例えば、異なるセルによって使用されるＮＢ−ＣＣＥパターンは、複数のリソース占有モードおよび上記で列挙される同一のリソース占有モードのために異なる具体的リソースを使用する。
【００８１】
ＰＲＢ対は、具体的には、周波数ドメインの中に１２個の副搬送波と、時間周波数ドメインの中に１２または１４個のＯＦＤＭシンボルとを含有し、１４個のＯＦＤＭシンボルを用いると、通常のＣＰが使用され、１２個のＯＦＤＭシンボルを用いると、拡張ＣＰが使用されることに留意されたい。
【００８２】
本発明の実施形態内で、ＮＢ−ＰＤＣＣＨが位置する検索空間は、１つまたは複数の集約レベルを含有し、異なる集約レベルの異なる繰り返し周波数に対応する候補セット数量のための判定方法は、以下：異なる集約レベルが異なる繰り返し周波数にあるとき、候補セットの数は、１であること、異なる集約レベルが異なる繰り返し周波数にあるとき、候補セットの数は、変動すること、１の集約レベルに対応する候補セットの数は、１を上回ること、非最大反復に対応する候補セットの数は、１を上回ること、反復が閾値Ｒｘを上回る、もしくはそれを上回るまたはそれと等しいとき、候補セットの数は、１と等しく、反復がＲｘよりも小さい、もしくはそれよりも小さいまたはそれと等しいとき、候補セットの数は、１を上回ることのうちの少なくとも１つを含む。
【００８３】
本発明の実施形態内で、スケジューリングウィンドウの長さは、以下：リソース要素長、スケジューリングギャップ、および非連続伝送ギャップのうちの少なくとも１つによって判定される。スケジューリングウィンドウの長さは、ＳＩＢまたはＲＲＣを通してｅＮＢによって構成され、または固定長である。判定方法は、以下：長さは、以下：リソース要素長、スケジューリングギャップ、および非連続伝送ギャップのうちの少なくとも１つを上回ること、長さは、以下：リソース要素長、スケジューリングギャップ、および非連続伝送ギャップのうちの少なくとも１つの整数の倍数であること、長さは、ｘが以下の｛１，２，３，．．．，２０｝のうちの少なくとも１つである、２ｘを満たすこと、長さは、無線フレーム長の整数の倍数を満たすことのうちの少なくとも１つを含む。
【００８４】
本発明の実施形態内で、アップリンクスケジューリングウィンドウ長およびダウンリンクスケジューリングウィンドウ長は、同一であり、固定され、または一様に構成され、またはアップリンクスケジューリングウィンドウ長およびダウンリンクスケジューリングウィンドウ長は、独立して構成され、または異なる固定値をとる。
【００８５】
例えば、１つのＲＵが３２ｍｓを占有するとき、ウィンドウ長は、３２の整数の倍数であり、好ましくは、ウィンドウ長は、以下のセット：｛３２，６４，１２８，２５６，５１２，７６８，１０２４，１２８０，１５３６，１７９２，２０４８｝のうちの少なくとも１つである。
【００８６】
本発明の実施形態内で、ＮＢ−ＰＤＣＣＨが位置する検索空間の初期サブフレームは、以下：スケジューリングウィンドウ長、オフセット値、最大反復（Ｒｍａｘ）、およびリソース配分サイクルのうちの少なくとも１つに基づいて判定される。
【００８７】
本発明の実施形態内で、初期サブフレームがサイクル（Ｔ）およびオフセット値に基づいて判定されるとき、初期サブフレームの位置、オフセット値を加えた初期サブフレームの位置、またはオフセット値を引いた初期サブフレームの位置は、Ｔの整数の倍数であり、オフセット値は、スケジューリングウィンドウの長さを上回らず、サイクル（Ｔ）は、スケジューリングウィンドウ長、スケジューリングサイクル、もしくはリソース配分サイクル、またはリソース配分サイクル、スケジューリングサイクル、もしくはスケジューリングウィンドウ長の整数の倍数である。
【００８８】
オフセット値は、ウィンドウ長の１／２、１／４、または０、１、２、３等の基地局によって事前定義もしくは構成される値より小さいことに留意されたい。
【００８９】
好ましくは、ｋ  ｍｏｄｅ  Ｎ＝０、または（ｋ−ｏｆｆｓｅｔ）  ｍｏｄｅ  Ｎ＝０、もしくは（ｋ＋ｏｆｆｓｅｔ）  ｍｏｄｅ  Ｎ＝０であり、
【数１】
2019504571.tif 000003
、ｎｓは、時間スロット数を示し、ＳＦＮは、無線フレーム数であり、ｋは、初期サブフレームを表し、Ｎは、スケジューリングウィンドウ長またはスケジューリングウィンドウ長の整数の倍数を表し、オフセットは、オフセット値を示す。
【００９０】
本発明の実施形態内で、初期サブフレームが最大反復に基づいて判定されるとき、本方法は、以下：初期サブフレームは、サイクルの第１のサブフレームに位置することであって、サイクルは、Ｒｍａｘの整数の倍数であり、整数の倍数の値は、連続値（１，２，３，４）または非連続値（１，２，４，８）である、こと、初期サブフレームは、オフセット値を加えたサイクルの第１のサブフレームに位置することであって、オフセット値は、Ｒｍａｘ／ｉの整数の倍数であり、サイクルは、Ｒｍａｘの整数の倍数であり、ｉは、好ましくは、８であり、整数の倍数の値は、連続値（１，２，３，４）または非連続値（１，２，４，８）である、ことのうちの少なくとも１つを含む。
【００９１】
本発明の実施形態内で、サイクルは、Ｒｍａｘの整数の倍数または非整数の倍数によって判定される値のセットであり、またはサイクルは、定数（ｍ）を加えたＲｍａｘの整数の倍数または非整数の倍数によって判定される値のセットであり、以下：値セットは、１０を上回るまたはそれと等しい正の整数を備えること、ｅＭＴＣと比較して、ＮＢ−ＩｏＴがより狭い帯域幅を有することを考慮して、異なる端末を利用できるようにするために、時間ドメイン内でより長いサイクルおよびより良好な時間分割多重化を要求すること、値セットは、１を含有しないこと、値セットは、１を上回り、かつ５よりも小さい、正ではない整数を含有することのうちの少なくとも１つを含む。
【００９２】
Ｅが、固定定数、または上位層シグナリングによって構成される定数である、閾値Ｒｍａｘ＝Ｅに基づいて、異なる値セットを区別する。例えば、｛１，２，３，４，５，６，８，１０｝、｛２，４，６，８，１０，１６，２４，３２｝、｛１．５，２，３，４，５，６，８，１０｝、｛１．５，２，４，６，８，１０，１２，１６｝であり、定数（ｍ）は、好ましくは、４である。閾値Ｒｍａｘ＝Ｅに基づいて、異なる値セットを区別する。Ｒｍａｘ＞＝ＥまたはＲｍａｘ＞Ｅであるとき、値セットは、Ｘ１である。Ｒｍａｘ＜ＥまたはＲｍａｘ＜＝Ｅであるとき、値セットは、Ｘ２である。Ｘ１の最小値は、Ｘ２の最小値よりも小さい、またはＸ１は、小数を含有し、Ｘ２は、小数を含有する。Ｘ１の最大値は、Ｘ２の最大値よりも小さい。本発明の実施形態内で、ＵＳＳおよびＣＳＳに対応する値セットは、異なり、ＣＳＳは、ＣＳＳプロセスにアクセスするために使用される。値セットは、以下：ＣＳＳ値セットは、正ではない整数を含有しないこと、ＣＳＳ値セットの最小値は、ＵＳＳ値セットの最小値を上回ること、ＣＳＳ値セットの最大値は、ＵＳＳ値セットの最大値を上回ることのうちの少なくとも１つを含む。
【００９３】
例えば、ＣＳＳ値セットは、｛２，３，４，５，６，８，１０，１６｝であり、ＵＳＳ値セットは、｛１．５，２，３，４，５，６，８，１０｝である。ＣＳＳ値セットは、｛２，４，６，８，１０，１６，２４，３２｝であり、ＵＳＳ値セットは、｛１．５，２，４，６，８，１０，１２，１６｝である。ＣＳＳ値セットは、｛２，３，４，５，８，１０，１６，３２｝であり、ＵＳＳ値セットは、｛１．５，２，２．５，４，５，８，１０，１６｝である。
【００９４】
本発明の実施形態内で、サイクル内のギャップ位置およびサイクルを構成するとき、サイクルおよび／またはギャップのための単位は、サブフレームまたはＲｍａｘ／ｉの倍数であり、サイクルおよびギャップ持続時間は、それぞれ、構成され、または合同コード化を通して構成され、ｉは、１〜８の整数である。
【００９５】
表１によって実証されるように、異なるサイクルが合同コード化を通して構成されるとき、ギャップ持続時間値は、異なり、ギャップ持続時間は、その対応するサイクル値を上回らない。
【表１】
2019504571.tif 000004
【００９６】
本発明の実施形態内で、閾値に従ってサイクル内のギャップ持続時間およびサイクルを判定するための方法は、以下：サイクルの最大値は、閾値よりも小さい、もしくはそれよりも小さいまたはそれと等しいこと、ギャップ持続時間の最大値は、サイクル値よりも小さいこと、ギャップ持続時間の最大値は、閾値よりも小さいことであって、、閾値は、固定値または上位層シグナリングによって構成される値である、ことのうちの少なくとも１つを含む。
【００９７】
例えば、閾値は、６４であり、Ｒｍａｘ＞＝６４であるとき、サイクルの最大値は、６４であり、ギャップ持続時間の最大値は、６４未満である。
【００９８】
ＮＢ−ＰＤＣＣＨまたはＮＢ−ＰＤＳＣＨもしくはＮＢ−ＰＵＳＣＨが伝送を繰り返すとき、基地局は、その繰り返された伝送が連続伝送またはギャップ／非連続伝送であることを通知するために、上位層シグナリング（例えば、ＳＩＢもしくはＲＲＣ）または物理層シグナリング（例えば、ＤＣＩ）を使用し、これは、以下のうちの少なくとも１つを含む。
（１）非連続伝送を行うかどうかのみを構成し、非連続伝送は、暗示的に判定される。
例えば、１ビットを通して、連続または非連続伝送を構成する。ギャップは、Ｒｍａｘ／２の間に位置し、ギャップ持続時間は、Ｒｍａｘ、Ｒｍａｘ／２、または固定値である。
（２）非連続伝送のためのギャップの数を構成し、ギャップ位置は、暗示的に判定される。
図２は、本発明の好ましい実施形態に基づく、非連続伝送のためのギャップ位置およびギャップ数を暗示的に判定することの概略図である。図２に示されるように、例えば、非連続伝送のためのギャップの数は、２ビットを伴って構成される。０は、連続伝送を表す。１は、１つのギャップがあり、ギャップがＲｍａｘ２の間に位置し、ギャップ持続時間がＲｍａｘ／２であることを表す。２は、３つのギャップがあり、ギャップがＲｍａｘ／４の間に位置し、ギャップ持続時間がＲｍａｘ／４であることを表す。３は、７つのギャップがあり、ギャップがＲｍａｘ／８の間に位置し、ギャップ持続時間がＲｍａｘ／８であることを表す。
（３）事前設定されたサイクルおよびサイクル内のギャップ場所を構成する。
図３は、本発明の好ましい実施形態に基づく、事前設定されたサイクルおよびサイクル内のギャップ位置を構成するための概略図である。図３に示されるように、事前設定されたサイクルおよびサイクル内のギャップ場所を構成するとき、ギャップは、サイクル内で分割され、ギャップ持続時間は、サイクルサイズを超えない。伝送サイクル、ならびにサイクル内の伝送ギャップの開始および長さが、定義されるはずである。簡単に言えば、ギャップは、サイクルの初期または最終位置のみにおいて構成されることができる。図３が示すように、サイクル長およびサイクル内のギャップ長を構成するとき、サイクル長およびギャップは、カバレッジランキングに基づいて異なる値に最適に構成される、所定の値セットの中にある。ＮＢ−ＰＤＣＣＨまたはＮＢ−ＰＤＳＣＨの反復伝送がギャップに遭遇し、伝送の完了がないとき、ギャップは、スキップされる。非連続値は、１、２、４、１６、３２．．．等のＮＢ−ＰＤＣＣＨまたはＮＢ−ＰＤＳＣＨによって使用される反復伝送周波数値セットの中の要素、もしくは無線フレームの整数の倍数、すなわち、１０、２０、３０、４０．．．であることができる。
（４）事前設定されたサイクルを構成し、サイクルサイズは、ギャップ持続時間と等しい。
図４は、本発明の好ましい実施形態に基づく、サイクルサイズがギャップ持続時間に等しい、事前設定されたサイクルを構成するための概略図である。図４が示すように、一様な非連続値が定義され、非連続値は、サイクル値と等しい。ＮＢ−ＰＤＣＣＨ（ＮＰＤＣＣＨとも呼ばれ、両方ともＮＢ−ＩｏＴの物理ダウンリンク制御チャネルを指す）および／またはＮＢ−ＰＤＳＣＨが伝送を繰り返すとき、ギャップ境界に遭遇し、伝送完了がない限り、１つのギャップは、伝送を継続する前にスキップされる。非連続値は、１、２、４、１６、３２．．．等のＮＢ−ＰＤＣＣＨまたはＮＢ−ＰＤＳＣＨによって使用される反復伝送周波数値セットの中の要素、もしくは無線フレームの整数の倍数、すなわち、１０、２０、３０、４０．．．であることができる。
セルレベルギャップ伝送は、ＳＩＢによって構成され、ダウンリンクチャネルの全てが好適であり、または共通メッセージのＮＢ−ＰＤＳＣＨもしくはＮＢ−ＰＤＣＣＨのみが好適である。ＲＲＣによって構成されるＮＢ−ＰＤＣＣＨおよび／またはＮＢ−ＰＤＳＣＨ、ならびにＤＣＩによって構成されるＮＢ−ＰＤＳＣＨギャップ伝送等、ＵＥレベルギャップ伝送は、ＲＲＣもしくはＤＣＩによって構成される。
（５）２の累乗、無線フレームの整数の倍数、または８の整数の倍数である、固定値を伴う固定サイクルおよび固定ギャップ持続時間。
上記の実施形態のスケジューリングギャップを判定するための方法は、端末または基地局に適用され得ることに留意されたい。
本実施形態はさらに、スケジューリングギャップを判定するための装置を提供する。本装置は、上記の実施形態およびそれらの好ましい方法を実装するために使用される。すでに説明されているものは、さらに議論されないであろう。以下で使用されるように、「モジュール」という用語は、事前設定された機能を実装し得る、ソフトウェアおよび／またはハードウェアの組み合わせであることができる。以下で説明される実施形態の装置は、ソフトウェアを伴って最適に実装されるが、ハードウェアまたはソフトウェアおよびハードウェアの組み合わせを伴ってそれを実装することも考えられる。
図５は、本発明の好ましい実施形態に基づく、スケジューリングギャップを判定するための装置の構造図である。
図５が示すように、本装置は、狭帯域物理ダウンリンク制御チャネル（ＮＢ−ＰＤＣＣＨ）を復調するように設定される、復調モジュール５２と、ＮＢ−ＰＤＣＣＨ復調を通して、狭帯域物理アップリンク共有チャネル（ＮＢ−ＰＵＳＣＨ）または狭帯域（物理）ダウンリンク共有チャネル（ＮＢ−ＰＤＳＣＨ）の初期サブフレームを判定するように設定される、判定モジュール５４とを備え、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。
【００９９】
復調モジュール５２が、狭帯域物理ダウンリンク制御チャネル（ＮＢ−ＰＤＣＣＨ）を復調するように設定され、判定モジュール５４が、ＮＢ−ＰＤＣＣＨ復調を通して、狭帯域物理アップリンク共有チャネル（ＮＢ−ＰＵＳＣＨ）または狭帯域（物理）ダウンリンク共有チャネル（ＮＢ−ＰＤＳＣＨ）の初期サブフレームを判定するように設定される、上記の装置の実装は、狭帯域システム内のスケジューリングタイミングを判定する方法の問題を解決し、それによって、インジケーション支出を節約し、リソース使用効率を増加させる。
【０１００】
上記の装置に関して、復調モジュール５２および判定モジュール５４は、それらの個別の機能を独立して実装することができ、また、本装置の機能を合同で実装することもできる。
【０１０１】
本発明の実施形態内で、ＮＢ−ＰＤＣＣＨの最終サブフレームに基づいて、ＮＢ−ＰＵＳＣＨまたはＮＢ−ＰＤＳＣＨの初期サブフレームを判定するとき、固定スケジューリングギャップが使用される。
【０１０２】
本発明の実施形態内で、１つの物理リソースブロック（ＰＲＢ）対が複数のＮＢ−ＰＤＳＣＨをサポートし、固定スケジューリングギャップがＮＢ−ＰＤＳＣＨの初期サブフレームを判定するために使用されるとき、ダウンリンク制御情報（ＤＣＩ）または暗示的判定モードを通して、ＰＲＢ内のＮＢ−ＰＤＳＣＨの位置を示す。
【０１０３】
本発明の実施形態内で、ＮＢ−ＰＤＳＣＨまたはＮＢ−ＰＵＳＣＨの初期サブフレームが、ＮＢ−ＰＤＣＣＨが位置する検索空間の最終サブフレームに従って判定されるとき、固定スケジューリングギャップまたはスケジューリングギャップに基づくインジケーションが使用され、スケジューリングギャップインジケーションは、ＮＢ−ＰＤＳＣＨまたはＮＢ−ＰＵＳＣＨの初期サブフレームまでのＮＢ−ＰＤＣＣＨが位置する検索空間の最終サブフレームを表す。
【０１０４】
本発明の実施形態内で、ＮＢ−ＰＤＳＣＨまたはＮＢ−ＰＵＳＣＨの初期サブフレームが、ＮＢ−ＰＤＣＣＨの最終サブフレームおよびスケジューリングギャップインジケーションにに従って判定されるとき、使用されるスケジューリングギャップのための値セットは、有限値であり、値セットのうちの要素値は、連続的または非連続的であり、値セットは、無線リソース制御（ＲＲＣ）またはシステム情報ブロック（ＳＩＢ）によって固定もしくは構成され、スケジューリングギャップインジケーションは、ＮＢ−ＰＤＳＣＨまたはＮＢ−ＰＵＳＣＨの初期サブフレームまでのＮＢ−ＰＤＣＣＨの最終サブフレームを表す。
【０１０５】
本発明の実施形態内で、スケジューリングギャップインジケーションは、以下のモード：単一インジケーションおよび２レベルインジケーションのうちの１つを備え、単一インジケーションは、スケジューリングギャップを示すために単一のパラメータを使用し、２レベルインジケーションの第１レベルインジケーションは、単一のインジケーションパラメータであり、２レベルインジケーションの第２レベルインジケーションは、第１レベルインジケーションに基づくオフセット値を示し、値セットは、固定され、またはＳＩＢもしくはＲＲＣによって構成される。
【０１０６】
本発明の実施形態内で、データセットの中の要素の値は、以下：ｘが以下の｛０，１，２，３，．．．，２０｝のうちの少なくとも１つである、２ｘ、｛１０，２０，３０，４０，．．．｝等の無線フレーム長の整数の倍数、トランスポートブロックによって占有されるサブフレームの数の整数の倍数（例えば、トランスポートブロックが最大で６つのサブフレームを占有する場合、値要素は、｛６，１２，１８，２４，．．．．｝であることができる）、制御チャネル占有サブフレームの整数の倍数ｋ×２ｘ（ｋは、０を上回る、もしくは０を上回るまたはそれと等しい、正の整数である）のうちの少なくとも１つを含む。
【０１０７】
本発明の実施形態内で、データセットの中の要素の最大値を判定するための方法は、以下：リソース配分サイクル、スケジューリングウィンドウ、またはスケジューリングサイクル、固定され、または基地局によって構成される一意の値、それぞれ、異なるカバレッジランキングに基づいて判定されること、少なくとも１つのカバレッジランキングに基づいて判定されること、アップリンク単一搬送波伝送に基づいて判定されること、アップリンク副搬送波ギャップに基づいて判定されることのうちの少なくとも１つを含む。
【０１０８】
データセットの中の要素の最大値を判定するための方法は、以下：リソース配分ウィンドウ、スケジューリングサイクル、またはスケジューリングウィンドウの長さ、すなわち、値セットのうちの要素の最大値は、サイクルまたはスケジューリングウィンドウの長さと等しい、もしくはそれを上回らない、固定され、または基地局によって構成される一意の値、すなわち、値セットのうちの最大値は、一意の値である、異なるカバレッジランキングに対応する最大値が異なる、異なるカバレッジランキングに基づく個別の判定、少なくとも１つのカバレッジランキングに基づく判定、すなわち、カバレッジランキング０および１のための同一の対応する最大値ならびにカバレッジランキング２および３のための同一の対応する最大値等の、異なるカバレッジランキングに対応する最大値が同一になることを可能にすること、アップリンク単一搬送波伝送に基づく判定、すなわち、アップリンク単一搬送波伝送およびアップリンク多重搬送波伝送に対応する最大値は、異なる、アップリンク１５ｋＨｚ副搬送波ギャップに対応する最大値と異なる、アップリンク３．７５ｋＨｚ副搬送波ギャップに対応する最大値等のアップリンク副搬送波ギャップに基づく判定のうちの少なくとも１つを含むことに留意されたい。
【０１０９】
本発明の実施形態内で、ＮＢ−ＰＤＳＣＨまたはＮＢ−ＰＵＳＣＨの初期サブフレームが、スケジューリングウィンドウ内のリソース配分に基づいて判定されるとき、スケジューリング非連続値は、スケジューリングウィンドウ長の任意の値よりも小さく、スケジューリングウィンドウ内のリソース配分は、多くてもＸ個のＰＲＢまたはサブフレームの連続リソース配分を使用し、Ｘの値は、スケジューリングウィンドウ長よりも小さく、Ｘは、好ましくは、６であり、スケジューリングギャップは、ＮＢ−ＰＤＳＣＨまたはＮＢ−ＰＵＳＣＨの初期サブフレームまでのＮＢ−ＰＤＣＣＨの最終サブフレームである。
【０１１０】
異なる用語が、スケジューリングサイクル、リソース配分サイクル、およびリソース配分範囲等のスケジューリングウィンドウを指すために使用され得ることに留意されたい。
【０１１１】
本発明の実施形態内で、ＮＢ−ＰＤＳＣＨまたはＮＢ−ＰＵＳＣＨの初期サブフレームがスケジューリングウィンドウ内のリソース配分に基づいて判定されるとき、これはさらに、ＤＣＩによって動的に示されるオフセット値に基づいて合同で判定され、ＮＢ−ＰＤＳＣＨまたはＮＢ−ＰＵＳＣＨによって占有されるサブフレームリソースは、スケジューリングウィンドウにわたり、またはスケジューリングウィンドウ内のみにある。
【０１１２】
本発明の実施形態内で、カバレッジ強化シナリオが、Ｒ回の反復伝送のために、リソース配分によって構成されるリソースを使用するとき、本方法は、以下の方法：スケジューリングウィンドウ内のリソース配分に基づいて、伝送は、スケジューリングウィンドウの間でＲ回繰り返されること、スケジューリングウィンドウ内のリソース配分に基づいて、伝送は、スケジューリングウィンドウ内でＲｉｎ回繰り返され、スケジューリングウィンドウの間でＲｏｕｔ回伝送されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒ、Ｒｉｎ、およびＲｏｕｔは、全て正の整数である。
【０１１３】
本発明の実施形態内で、ＮＢ−ＰＤＣＣＨがＲ回繰り返し伝送するとき、本方法は、以下：ＲがＲｘを上回らない、またはＲｘよりも小さいとき、伝送は、伝送ウィンドウ内でＲ回繰り返されること、ＲがＲｘを上回るとき、伝送は、伝送ウィンドウの間でＲ回繰り返されること、ＲがＲｘを上回るとき、伝送は、スケジューリングウィンドウ内でＲｉｎ回繰り返され、スケジューリングウィンドウの間でＲｏｕｔ回繰り返されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒｘ、Ｒ、Ｒｉｎ、およびＲｏｕｔは、全て正の整数である。
【０１１４】
本発明の実施形態内で、Ｒ、Ｒｉｎ、Ｒｏｕｔ、およびＲｘの値を判定するための方法は、以下：Ｒ、Ｒｉｎ、Ｒｏｕｔ、およびＲｘのうちの少なくとも１つは、２ｘの値を有することであって、ｘが、以下の｛０，１，２，３，．．．，２０｝のうちの少なくとも１つであり、Ｒ＝Ｒｉｎ×Ｒｏｕｔである、こと、Ｒ、Ｒｉｎ、およびＲｏｕｔのうちの少なくとも１つは、異なるカバレッジランキングに基づいて異なる固定値を有するように判定され、または基地局は、１つの値または値のセットを構成すること、値のセットとして構成されるとき、具体的値がＤＣＩの中で通知されること、Ｒｘおよび／またはＲｉｎは、以下：カバレッジランキング、スケジューリングウィンドウ長、および最大反復のうちの少なくとも１つによって判定されることのうちの少なくとも１つを含む。
【０１１５】
例えば、Ｒｘおよび／またはＲｉｎは、通常のカバレッジに基づいて、４であるように判定され、もしくはＲｘおよび／またはＲｉｎは、スケジューリングウィンドウの長さに従って、スケジューリングウィンドウ長の値を上回らないように判定され、もしくはＲｘおよび／またはＲｉｎは、スケジューリングウィンドウの長さならびに反復の最大数に基づいてスケジューリングウィンドウ長および最大反復を上回らないように判定される。
【０１１６】
例えば、３２ｍｓのウィンドウ長を用いると、ＮＢ−ＰＤＳＣＨは、リソース配分を通して６〜１１個のサブフレームを占有するように判定され、ＤＣＩの中の３ビット情報は、ＮＢ−ＰＤＳＣＨ伝送に使用される値セット｛１，２，４，８，１６，３２，６４，１２８｝の中でＲ＝３２であることを示す。方法１は、各ウィンドウ内で同一のサブフレーム位置を占有する、３２個のスケジューリングウィンドウ内で伝送を繰り返すものである。方法２は、基地局がＲｉｎ＝４回繰り返すようにスケジューリングウィンドウに通知することであり、Ｒｏｕｔは、Ｒｍａｘ／Ｒｉｎ＝８を通して暗示的に取得され、ＮＢ−ＰＤＳＣＨは、８つのスケジューリングウィンドウ内で伝送を繰り返し、スケジューリングウィンドウ内で伝送を４回繰り返す。
【０１１７】
本発明の実施形態内で、ＮＢ−ＰＤＳＣＨは、時間ドメイン内で連続サブフレームを占有し、占有された連続サブフレームの数を判定するための方法は、以下：連続リソース配分を使用する、事前判定されたインジケーション範囲内で初期サブフレームを用いた合同コード化と、限定された値セットのうちの要素が、連続値または非連続値である、限定された値セット内の別個のインジケーションとのうちの少なくとも１つを含む。
【０１１８】
本発明の実施形態内で、１つのＰＲＢ対または１つのサブフレーム内でＮＢ−ＰＤＣＣＨによって使用されるＮＢ−ＣＣＥのリソースを占有するためのモードは、以下：全ての直交周波数分割多重化（ＯＦＤＭ）シンボル上で同一の６つの連続または非連続副搬送波を占有すること、異なるＯＦＤＭシンボル上で６つの異なる非連続副搬送波を占有すること、異なるＯＦＤＭシンボル上で６つの異なる連続副搬送波を占有することのうちの１つを含む。
【０１１９】
ＮＢ−ＣＣＥは、サブフレームまたはＯＦＤＭシンボル内の異なるセルＩＤに基づいて異なるリソースを占有することに留意されたい。例えば、異なるセルによって使用されるＮＢ−ＣＣＥパターンは、複数のリソース占有モードおよび上記で列挙される同一のリソース占有モードのために異なる具体的リソースを有する。
【０１２０】
ＰＲＢ対は、具体的には、周波数ドメインの中に１２個の副搬送波と、時間周波数ドメインの中に１２または１４個のＯＦＤＭシンボルとを含有し、１４個のＯＦＤＭシンボルを用いると、通常のＣＰが使用され、１２個のＯＦＤＭシンボルを用いると、拡張ＣＰが使用されることに留意されたい。
【０１２１】
本発明の実施形態内で、ＮＢ−ＰＤＣＣＨが位置する検索空間は、１つまたは複数の集約レベルを含有し、異なる集約レベルの異なる繰り返し周波数に対応する候補セット数量のための判定方法は、以下：異なる集約レベルが異なる繰り返し周波数にあるとき、候補セットの数は、１であること、異なる集約レベルが異なる繰り返し周波数にあるとき、候補セットの数は、変動すること、１の集約レベルに対応する候補セットの数は、１を上回ること、非最大反復に対応する候補セットの数は、１を上回ること、反復が閾値Ｒｘを上回る、もしくはそれを上回るまたはそれと等しいとき、候補セットの数は、１と等しく、反復がＲｘよりも小さい、もしくはそれよりも小さいまたはそれと等しいとき、候補セットの数は、１を上回ることのうちの少なくとも１つを含む。
【０１２２】
本発明の実施形態内で、スケジューリングウィンドウの長さは、以下：リソース要素長、スケジューリングギャップ、および非連続伝送ギャップのうちの少なくとも１つによって判定される。スケジューリングウィンドウの長さは、ＳＩＢまたはＲＲＣを通してｅＮＢによって構成され、または固定長である。判定方法は、以下：長さは、以下：リソース要素長、スケジューリングギャップ、および非連続伝送ギャップのうちの少なくとも１つを上回ること、長さは、以下：リソース要素長、スケジューリングギャップ、および非連続伝送ギャップのうちの少なくとも１つの整数の倍数であること、長さは、ｘが以下の｛１，２，３，．．．，２０｝のうちの少なくとも１つである、２ｘを満たすこと、長さは、無線フレーム長の整数の倍数を満たすことのうちの少なくとも１つを含む。
【０１２３】
本発明の実施形態内で、アップリンクスケジューリングウィンドウ長およびダウンリンクスケジューリングウィンドウ長は、同一であり、固定され、または一様に構成され、またはアップリンクスケジューリングウィンドウ長およびダウンリンクスケジューリングウィンドウ長は、独立して構成され、または異なる固定値をとる。
【０１２４】
例えば、１つのＲＵが３２ｍｓを占有するとき、ウィンドウ長は、３２の整数の倍数であり、好ましくは、ウィンドウ長は、以下のセット：｛３２，６４，１２８，２５６，５１２，７６８，１０２４，１２８０，１５３６，１７９２，２０４８｝のうちの少なくとも１つである。
【０１２５】
本発明の実施形態内で、ＮＢ−ＰＤＣＣＨが位置する検索空間の初期サブフレームは、以下：スケジューリングウィンドウ長、オフセット値、最大反復（Ｒｍａｘ）、およびリソース配分サイクルのうちの少なくとも１つに基づいて判定される。
【０１２６】
本発明の実施形態内で、初期サブフレームがサイクル（Ｔ）およびオフセット値に基づいて判定されるとき、初期サブフレームの位置、オフセット値を加えた初期サブフレームの位置、またはオフセット値を引いた初期サブフレームの位置は、Ｔの整数の倍数であり、オフセット値は、スケジューリングウィンドウの長さを上回らず、サイクル（Ｔ）は、スケジューリングウィンドウ長、スケジューリングサイクル、もしくはリソース配分サイクル、またはリソース配分サイクル、スケジューリングサイクル、もしくはスケジューリングウィンドウ長の整数の倍数である。
【０１２７】
オフセット値は、ウィンドウ長の１／２、１／４、または０、１、２、３等の基地局によって事前定義もしくは構成される値より小さいことに留意されたい。
【０１２８】
最適には、ｋ  ｍｏｄｅ  Ｎ＝０、または（ｋ−ｏｆｆｓｅｔ）  ｍｏｄｅ  Ｎ＝０、もしくは（ｋ＋ｏｆｆｓｅｔ）  ｍｏｄｅ  Ｎ＝０であり、
【数２】
2019504571.tif 000005
、ｎｓは、時間スロット数を示し、ＳＦＮは、無線フレーム数であり、ｋは、初期サブフレームを表し、Ｎは、スケジューリングウィンドウ長またはスケジューリングウィンドウ長の整数の倍数を表し、オフセットは、オフセット値を示す。
【０１２９】
本発明は、好ましい実施形態およびその実装方法を参照して以下で詳細に説明される。
【０１３０】
本実施形態では、１つのＰＲＢ対または１つのサブフレーム内でＮＢ−ＰＤＣＣＨによって使用されるＮＢ−ＣＥＥの具体的リソース占有方法は、以下のうちの少なくとも１つを含む。ＯＦＤＭシンボルの全ての中で同一の連続または非連続的な６つの副搬送波を占有すること。具体的には、図６は、本発明の好ましい実施形態に基づく、ＯＦＤＭシンボルの全ての中で同一の連続的な６つの副搬送波を占有するＮＢ−ＣＣＥの概略図であり、同一の連続的な６つの副搬送波を占有することは、（図６が示すように）ＯＦＤＭシンボルの全ての中で副搬送波０−１１の中の最初の６つまたは最後の６つの副搬送波を占有することを含む。図７は、本発明の好ましい実施形態に基づく、ＯＦＤＭシンボルの全ての中で同一の非連続的な６つの副搬送波を占有するＮＢ−ＣＣＥの概略図である。同一の非連続的な６つの副搬送波を占有することは、具体的には、（１）（図７が示すように）奇数の副搬送波または偶数の副搬送波を占有することと、（２）２または３つの連続副搬送波を使用し、副搬送波｛０，１，４，５，８，９｝もしくは｛０，１，２，６，７，８｝を占有するＮＢ−ＣＣＥ＃０等の偶数間隔で１２個の副搬送波を占有することと、（３）２または４つの連続副搬送波を使用し、副搬送波｛０，１，４，５，６，７｝もしくは｛０，１，６，７，８，９｝を占有するＮＢ−ＣＣＥＥ＃０等の不規則なギャップで１２個の副搬送波を占有することとを含む。異なるＯＦＤＭシンボル上で６つの異なる非連続副搬送波を占有すること。図８は、本発明の好ましい実施形態に基づく、異なるＯＦＤＭシンボル上で６つの異なる非連続副搬送波を占有するＮＢ−ＣＣＥの概略図である。２つのＮＢ−ＣＣＥによって使用されるＲＥは、ＳＦＢＣがＲＥに隣接していることを保障することができるが、ＮＢ−ＣＣＥは、図８に示されるように、６つの連続副搬送波を占有しない。異なるＯＦＤＭシンボル上で６つの異なる連続副搬送波を占有すること。具体的には、２つのＮＢ−ＣＣＥによって使用されるＲＥは、ＳＦＢＣ対がＲＥに隣接しており、ＮＢ−ＣＣＥが６つの連続副搬送波を占有していることを保障することができるが、異なるＯＦＤＭシンボル内でＮＢ−ＣＣＥＥによって占有される６つの連続副搬送波は、異なる。例えば、奇数のＯＦＤＭシンボルは、１つのタイプの６つの副搬送波を使用し、偶数のＯＦＤＭシンボルは、別のタイプの６つの副搬送波を使用する。
【０１３１】
図９は、図９に示されるように、本発明の好ましい実施形態に基づく、異なるＯＦＤＭシンボル上で６つの異なる連続副搬送波を占有するＮＢ−ＣＣＥの概略図１である。図１０は、本発明の好ましい実施形態に基づく、異なるＯＦＤＭシンボル上で６つの異なる連続副搬送波を占有するＮＢ−ＣＣＥの概略図２である。図１０に示されるように、時間スロット０内のＯＦＤＭシンボルは、同一の６つの副搬送波を使用し、時間スロット１内のＯＦＤＭシンボルは、別のタイプの６つの副搬送波を使用する。ＯＦＤＭシンボルの一部は、同一の６つの副搬送波を使用し、ＯＦＤＭシンボルの別の部分は、別の６つの副搬送波を使用する。
【０１３２】
本発明の実施形態内で、ＮＢ−ＰＤＣＣＨが位置する検索空間は、１つまたは複数の集約レベルを含有し、異なる集約レベルの異なる繰り返し周波数に対応する候補セット数量のための判定方法は、以下：異なる集約レベルが異なる繰り返し周波数にあるとき、候補セットの数は、１である（例えば、｛Ｌ，Ｒ，候補セット数｝＝［｛１，Ｒ１，１｝，｛１，Ｒ２，１｝，｛１，Ｒ３，１｝，｛１，Ｒ４，１｝，｛２，Ｒ１，１｝，｛２，Ｒ２，１｝，｛２，Ｒ３，１｝，｛２，Ｒ４，１｝］、または｛Ｌ，Ｒ，候補セット数｝＝［｛２，Ｒ１，１｝，｛２，Ｒ２，１｝，｛２，Ｒ３，１｝，｛２，Ｒ４，１｝］である）こと、異なる集約レベルが異なる繰り返し周波数にあるとき、候補セットの数は、変動する（例えば、｛Ｌ，Ｒ，候補セット数｝＝［｛１，１，１６｝，｛２，１，８｝，｛２，２，４｝，｛２，４，２｝，｛２，８，１｝］、または［｛２，１，４｝，｛２，２，４｝，｛２，４，１｝，｛２，８，１｝］である）こと、１の集約レベルに対応する候補セットの数は、１を上回る（例えば、｛Ｌ，Ｒ，候補セット数｝＝［｛１，Ｒ１，１６｝，｛２，Ｒ１，８｝，｛２，Ｒ２，４｝，｛２，Ｒ３，２｝，｛２，Ｒ４，１｝］、または［｛１，Ｒ１，１６｝，｛２，Ｒ１，８｝，｛２，Ｒ２，１｝，｛２，Ｒ３，１｝，｛２，Ｒ４，１｝］、もしくは［｛１，１，８｝，｛２，１，４｝，｛２，２，２｝，｛２，４，１｝］、または［｛１，Ｒ１，４｝，｛１，Ｒ２，２｝，｛１，Ｒ３，１｝，｛１，Ｒ４，１｝，｛２，Ｒ１，１｝，｛２，Ｒ２，１｝，｛２，Ｒ３，１｝，｛２，Ｒ４，１｝］である）こと、非最大反復に対応する候補セットの数は、１を上回る（例えば、｛Ｌ，Ｒ，候補セット数｝＝［｛１，Ｒ１，８｝，｛１，Ｒ２，４｝，｛１，Ｒ３，２｝，｛１，Ｒ４，１｝，｛２，Ｒ１，８｝，｛２，Ｒ２，４｝，｛２，Ｒ３，２｝，｛２，Ｒ４，１｝］、または｛Ｌ，Ｒ，候補セット数｝＝［｛２，Ｒ１，８｝，｛２，Ｒ２，４｝，｛２，Ｒ３，２｝，｛２，Ｒ４，１｝］である）こと、反復が閾値Ｒｘを上回る、もしくはそれを上回るまたはそれと等しいとき、候補セットの数は、１と等しく、反復がＲｘよりも小さい、もしくはそれよりも小さいまたはそれと等しいとき、候補セットの数は、１を上回る（例えば、｛Ｌ，Ｒ，候補セット数｝＝［｛１，Ｒ１，８｝，｛１，Ｒ２，４｝，｛１，Ｒ３，１｝，｛１，Ｒ４，１｝，｛２，Ｒ１，８｝，｛２，Ｒ２，４｝，｛２，Ｒ３，１｝，｛２，Ｒ４，１｝］、または［｛２，Ｒ１，８｝，｛２，Ｒ２，４｝，｛２，Ｒ３，１｝，｛２，Ｒ４，１｝］、もしくは［｛２，Ｒ１，８｝，｛２，Ｒ２，１｝，｛２，Ｒ３，１｝，｛２，Ｒ４，１｝］、または［｛１，１，８｝，｛２，１，４｝，｛２，２，１｝，｛２，４，１｝］、もしくは［｛１，１，８｝，｛２，１，１｝，｛２，２，１｝，｛２，４，１｝］である）ことのうちの少なくとも１つを含む。
【０１３３】
候補セット数が、検索空間を充填し、または可能な限り検索空間を充填するために、１を上回り、異なる集約レベルに対応する候補セット数が同一であり、または低い集約レベルに対応する候補セット数が、高い集約レベルに対応する候補セット数の倍数である、例えば、１の集約レベルに対応する候補セットの数が、２の集約レベルに対応する候補セット数の倍数であることに留意されたい。具体的には、検索空間が１または２つの集約レベルのみを含有する場合、集約レベルに対応する反復は、例えば、Ｒ１、Ｒ２、Ｒ３、Ｒ４であり、８Ｒ１＝４Ｒ２＝２Ｒ３＝Ｒ４であり、反復の少なくとも１つの非最大数に対応する候補セット数は、１を上回り、Ｒ値は、セット｛１，２，４，８，１６，３２，６４，１２８，２５６｝のうちの少なくとも１つである。検索空間範囲は、周波数ドメイン内では１つのＰＲＢであり、時間ドメイン内では、基地局によって構成される最大反復（Ｒｍａｘ＝Ｒ４）であり、Ｒ２を反復するＡＬ＝１およびＲ１を反復するＡＬ＝２は、同等である。したがって、ＡＬ＝１は、反復がＲ１を上回るときにサポートされ得ず、または非反復モードでＡＬ＝１のみをサポートすることができる。検索空間のいくつかの具体的組成は、以下の通りである（Ｒ４≧８）。
｛Ｌ，Ｒ，候補セット数｝＝［｛２，Ｒ１，８｝，｛２，Ｒ２，４｝，｛２，Ｒ３，２｝，｛２，Ｒ４，１｝］
｛Ｌ，Ｒ，候補セット数｝＝［｛１，Ｒ１，８｝，｛１，Ｒ２，４｝，｛１，Ｒ３，２｝，｛１，Ｒ４，１｝
｛２，Ｒ１，８｝，｛２，Ｒ２，４｝，｛２，Ｒ３，２｝，｛２，Ｒ４，１｝］
｛Ｌ，Ｒ，候補セット数｝＝［｛１，Ｒ１，８｝
｛２，Ｒ１，８｝，｛２，Ｒ２，４｝，｛２，Ｒ３，２｝，｛２，Ｒ４，１｝］
｛Ｌ，Ｒ，候補セット数｝＝［｛１，１，８｝
｛２，Ｒ１，８｝，｛２，Ｒ２，４｝，｛２，Ｒ３，２｝，｛２，Ｒ４，１｝］
｛Ｌ，Ｒ，候補セット数｝＝［｛１，１，２｝
｛２，Ｒ１，８｝，｛２，Ｒ２，４｝，｛２，Ｒ３，２｝，｛２，Ｒ４，１｝］
【０１３４】
または、端末のブラインド検出複雑性を考慮するために、ＲＲＣまたはＳＩＢシグナリングを通して具体的候補セット数を構成することによって等、前述に基づいて非最大反復数であるように反復を制約し、またはＡＬ＝２であるとき、Ｒの全ての候補セット数量は、一様に１であり、またはＲがＲｘよりも小さいときに１を上回る候補セット数量、およびＲがＲｘを上回るときに１と等しい候補セット数量を有することによって等、ＡＬ＝２またはＡＬ＝１に対応する非最大Ｒに対応する制約を候補セットに課す。
【０１３５】
検索空間のいくつかの具体的組成は、以下の通りである（ＡＬ１が１を上回る候補セット数量を有するとき、最適には、周波数ドメインが最初であり、時間ドメインが後に来る）：
｛Ｌ，Ｒ，候補セット数｝＝［｛２，Ｒ１，４｝，｛２，Ｒ２，２｝，｛２，Ｒ３，１｝，｛２，Ｒ４，１｝］
｛Ｌ，Ｒ，候補セット数｝＝［｛２，Ｒ１，８｝，｛２，Ｒ２，４｝，｛２，Ｒ３，１｝，｛２，Ｒ４，１｝］
｛Ｌ，Ｒ，候補セット数｝＝［｛２，Ｒ１，８｝，｛２，Ｒ２，１｝，｛２，Ｒ３，１｝，｛２，Ｒ４，１｝］
｛Ｌ，Ｒ，候補セット数｝＝［｛１，Ｒ１，８｝，｛１，Ｒ２，４｝，｛１，Ｒ３，２｝，｛１，Ｒ４，１｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，Ｒ１，８｝，｛１，Ｒ２，１｝，｛１，Ｒ３，１｝，｛１，Ｒ４，１｝
｛２，Ｒ１，８｝，｛２，Ｒ２，１｝，｛２，Ｒ３，１｝，｛２，Ｒ４，１｝］
｛Ｌ，Ｒ，候補セット数｝＝［｛１，Ｒ１，８｝，｛１，Ｒ２，４｝，｛１，Ｒ３，１｝，｛１，Ｒ４，１｝
｛２，Ｒ１，８｝，｛２，Ｒ２，４｝，｛２，Ｒ３，１｝，｛２，Ｒ４，１｝］
｛Ｌ，Ｒ，候補セット数｝＝［｛１，Ｒ１，４｝，｛１，Ｒ２，２｝，｛１，Ｒ３，１｝，｛１，Ｒ４，１｝
｛２，Ｒ１，２｝，｛２，Ｒ２，２｝，｛２，Ｒ３，１｝，｛２，Ｒ４，１｝］
｛Ｌ，Ｒ，候補セット数｝＝［｛１，Ｒ１，２｝，｛１，Ｒ２，１｝，｛１，Ｒ３，１｝，｛１，Ｒ４，１｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，Ｒ１，２｝，｛１，Ｒ２，２｝，｛１，Ｒ３，２｝，｛１，Ｒ４，２｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，Ｒ１，１｝，｛１，Ｒ２，１｝，｛１，Ｒ３，１｝，｛１，Ｒ４，１｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，Ｒ１，８｝
｛２，Ｒ１，４｝，｛２，Ｒ２，２｝，｛２，Ｒ３，２｝，｛２，Ｒ４，１｝］
｛Ｌ，Ｒ，候補セット数｝＝［｛１，Ｒ１，８｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，Ｒ１，２｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，１，８｝
｛２，Ｒ１，８｝，｛２，Ｒ２，４｝，｛２，Ｒ３，２｝，｛２，Ｒ４，１｝］
｛Ｌ，Ｒ，候補セット数｝＝［｛１，１，８｝
｛２，Ｒ１，１｝，｛２，Ｒ２，１｝，｛２，Ｒ３，１｝，｛２，Ｒ４，１｝］
｛Ｌ，Ｒ，候補セット数｝＝［｛１，１，２｝
｛２，Ｒ１，１｝，｛２，Ｒ２，１｝，｛２，Ｒ３，１｝，｛２，Ｒ４，１｝］
【０１３６】
上記は、実施例としてＲ１−Ｒ４を使用し、これはまた、Ｒ１−Ｒ２、Ｒ１−Ｒ８等の他の反復タイプでもあり得ることに留意されたい。
【０１３７】
特に、Ｒｍａｘが、主に通常のカバレッジシナリオに使用される、１、２、４、または８であるとき、比較的より多くのユーザがサポートを要求する。したがって、候補セットは、ＬＴＥシステムに対して最大ブラインド検出周波数を増加させない一方で、検索空間内の利用可能な位置を充填すること、または可能な限り充填することによって等、可能な限り多数となるべきである。具体的候補セット数量は、以下である。
【０１３８】
Ｒｍａｘ＝１である場合には、候補セット｛Ｌ，Ｒ，候補セット数｝＝［｛１，１，２｝，｛２，１，１｝］である。
【０１３９】
Ｒｍａｘ＝２である場合には、候補セット｛Ｌ，Ｒ，候補セット数｝＝［｛１，１，２｝，｛２，１，２｝，｛２，２，１｝］、または［｛１，１，４｝，｛２，１，２｝，｛２，２，１｝］である。
【０１４０】
Ｒｍａｘ＝４である場合には、候補セット｛Ｌ，Ｒ，候補セット数｝＝［｛１，１，２｝，｛２，１，４｝，｛２，２，２｝，｛２，４，１｝］、または［｛１，１，８｝，｛２，１，４｝，｛２，２，２｝，｛２，４，１｝］、もしくは［｛１，１，８｝，｛２，１，４｝，｛２，２，１｝，｛２，４，１｝］である。
【０１４１】
Ｒｍａｘ＝８である場合には、候補セット｛Ｌ，Ｒ，候補セット数｝＝［｛１，１，２｝，｛２，１，８｝，｛２，２，４｝，｛２，４，２｝，｛２，８，１｝］、または［｛１，１，１６｝，｛２，１，８｝，｛２，２，４｝，｛２，４，２｝，｛２，８，１｝］、もしくは［｛１，１，１６｝，｛２，１，８｝，｛２，２，１｝，｛２，４，１｝，｛２，８，１｝］である。
【０１４２】
実施形態１
スケジューリングウィンドウまたはスケジューリングサイクルに基づいて、ｋの値は、リソース配分（ＲＡ）によって暗示的に判定される。
【０１４３】
スケジューリングウィンドウサイズ（ウィンドウ長）またはスケジューリングサイクルサイズは、Ｔ  ｍｓであり、Ｔの値は、固定され、または基地局によって構成される。随意のＴ値は、Ｔ＝ｋ×１０ｍｓ等の無線フレームの整数の倍数、またはウィンドウ長Ｔ＝ｋ×２．＾ｘ  ｍｓ、ｘ＝｛０，１，２，３，５｝、ｋ＝１，２，．．．である。好ましくは、Ｋは、セット｛１，２，４，８，１６，３２，６４，１２８｝またはセット｛１，２，３，４，５，６，７，８，９，１０｝からの要素であり、すなわち、アップリンクリソース単位の整数の量は、スケジューリングウィンドウの中に含まれることができる。アップリンクリソース単位は、全て２．＾ｘｍｓであり、ｘは、セット｛０，１，２，３，５｝であり、ウィンドウ長Ｔを判定するとき、好ましくは、ｘ＝５、ｋ＝１、およびＴ＝３２である。好ましい可能性として考えられるウィンドウ長は、以下のセット：｛１６，３２，６４，１２８，２５６，５１２，７６８，１０２４，１２８０，１５３６，１７９２，２０４８｝のうちの少なくとも１つであり、基地局によって構成されるとき、ＳＩＢメッセージは、セルで使用されるように同一のウィンドウ長を構成し、またはＲＲＣメッセージは、セル内のＵＥ毎にウィンドウ長を独立して構成する。
【０１４４】
以下では、スケジューリングウィンドウは、例証的実施例として使用される。
【０１４５】
スケジューリングウィンドウでは、ダウンリンク制御チャネルが位置する検索空間は、基地局によって構成され、異なる検索空間は、スケジューリングウィンドウの最初のＸ個のサブフレームの中に集中し、対応するＰＤＳＣＨは、同一のスケジューリングウィンドウの中に位置する。連続長制約を伴うリソース配分タイプ２またはリソース配分２（例えば、連続占有サブフレームが６を超えない、ＰＤＳＣＨリソース配分は、ウィンドウ長Ｔ＝３２ｍｓに配分され、リソース配分は、
【数３】
2019504571.tif 000006
ビットを使用し、ウィンドウ長
【数４】
2019504571.tif 000007
であるとき、リソース配分ビットフィールドは、８ビットである）が、スケジューリングウィンドウ内で任意の初期位置および占有を実装するために使用される。現在、リソース配分は、時間ドメインの中のスケジューリングウィンドウ内の占有された連続サブフレームの数および位置を表す。
【０１４６】
現在、スケジューリングギャップ（ｋ）は、インジケーションを要求せず、ウィンドウ内のＰＤＳＣＨリソース配分を通して暗示的に判定され、すなわち、ＮＢ−ＰＤＳＣＨの初期サブフレームは、ＮＢ−ＰＤＳＣＨによって占有され、リソース配分によって判定される連続サブフレームの中の第１のサブフレームである。
【０１４７】
図１１は、本発明の好ましい実施形態に基づく、スケジューリングサイクルまたはスケジューリングウィンドウ内のリソース配分によって暗示的に判定されているスケジューリングギャップの概略図である。
【０１４８】
実施形態の利点：スケジューリングギャップ（ｋ）は、単独で示す必要なく、スケジューリングウィンドウ長範囲内の任意の値を実装することができ、リソース配分タイプ２の特徴を利用して、初期サブフレームの位置およびサブフレーム占有数が合同でコード化され、それによって、制御信号支出を削減する。
【０１４９】
実施形態２
スケジューリングウィンドウに基づいて、ｋの値は、ＲＡによって暗示的に判定され、ＮＢ−ＰＤＳＣＨのＴＢブロックがウィンドウ長を超える可能性がある。
【０１５０】
実施形態１で起こり得る、ウィンドウ長を超えるダウンリンクサービスのＴＢブロックに関して、例えば、（１）Ｔ＝ＴＢブロックによって占有される最大サブフレームであるが、ＵＳＳ／ＣＳＳが最初のＸ個のサブフレームを占有するため、配分されたＮＢ−ＰＤＳＣＨ占有サブフレーム数は、ウィンドウ長Ｔを超える。（２）たとえ構成されたＴ＞ＴＢブロックによって占有される最大サブフレームであっても、制御チャネル反復伝送、または２つもしくはそれを上回るＮＢ−ＰＤＳＣＨがスケジュールされるため、配分されたＮＢ−ＰＤＳＣＨ占有サブフレーム数もウィンドウ長Ｔを超える。
【０１５１】
ソリューションは、以下を含む。
（１）基地局スケジューリング実装、すなわち、スケジュールされたＮＢ−ＰＤＳＣＨは、スケジューリングウィンドウ範囲内のみにあり、利用可能なリソースに基づいて柔軟にスケジュールされる。（既存のＬＴＥシステムは、同一の問題を有し、異なるＰＤＳＣＨのＴＢブロックは、常に最大数のＰＲＢを占有することができるわけではなく、既存のＰＲＢ数は、使用のために不十分である。）
（２）スケジューリングウィンドウオフセットを示す。スケジューリングウィンドウＷ（ｉ）内のスケジュールされたＮＢ−ＰＤＳＣＨが、スケジューリングウィンドウの中に残っているよりも多くのサブフレームを使用する必要があるとき、スケジュールされたＮＢ−ＰＤＳＣＨは、スケジューリングウィンドウオフセット値（ｍ）の付加的インジケーションを通して、その現在のスケジューリングウィンドウならびに以降のスケジューリングウィンドウの中に位置することができる、すなわち、連続的なスケジューリングウィンドウを占有する。図１２は、本発明の好ましい実施形態に基づく、動的オフセット値と組み合わせられた、スケジューリングサイクルまたはスケジューリングウィンドウ内のリソース配分によって判定されているスケジューリングギャップの概略図であり、ｍの値は、実際の初期位置として、ＲＡ＋ｍ個のサブフレームの後方にある初期位置であり、すなわち、この場合、ＲＡは、依然としてスケジューリングウィンドウ範囲内のリソース配分であるが、リソース配分の結果は、ｍ個のサブフレームでオフセットされて後方に偏移されることができる。
【０１５２】
実施形態の利点：実施形態１と同様に、この場合は、スケジューリング柔軟性を増加させ、ウィンドウ内のリソース配分制約を低減させる。付加的な増加した信号支出およびオフセット値インジケーションについて解説されるべきことは、スケジューリングウィンドウ内で、ＵＳＳ／ＣＳＳ構成が基地局によって決定され、必ずしもスケジューリングウィンドウ内で第１のサブフレームから始まって占有されるとは限らないことである。
【０１５３】
実施形態３
スケジューリングウィンドウがないと、ＤＣＩ動的インジケーションに基づいて、カバレッジ強化反復伝送に関して、ＮＢ−ＰＤＣＣＨは、検索空間のサブフレームセットまたはＰＲＢセットを充填し、固定スケジューリングギャップであることができる、ｋ＝１が使用される。
【０１５４】
通常のカバレッジに関して、検索空間が１つのサブフレームのみをサポートする場合、最大で２つのＮＢ−ＰＤＣＣＨがサポートされる。この場合、ｋが固定され（例えば、ｋ＝１）、１つのＮＢ−ＰＤＣＣＨが無駄にされ、またはＮＢ−ＰＤＳＣＨが、６つの副搬送波からのリソース単位をサポートし、ｋ＝１であり、リソースの無駄がない。当然ながら、１つのＮＢ−ＰＤＣＣＨによって占有される１つのサブフレームがあり、ＰＲＢ全体を占有するＮＢ−ＰＤＳＣＨをスケジュールする、ｋ＝１も可能である。
【０１５５】
加えて、ｋが固定されるかどうかにかかわらず、ＦＤＭ多重化モードを用いると、周波数ドメインインジケーションは、具体的には、２つのモードを備える。１つのモードは、暗示的インジケーション、すなわち、ＮＢ−ＰＤＳＣＨがスケジュールされたＮＢ−ＣＣＥと同一の副搬送波場所に位置する、周波数ドメイン副搬送波である。別のモードは、ＤＣＩのビットフィールドを通して周波数ドメイン位置を直接示す。
【０１５６】
通常のカバレッジに関して、最も典型的な状況は、検索空間が複数の候補セットをサポートし、同時に、ＮＢ−ＰＤＳＣＨの最小リソース単位が１つのＰＲＢであることである。固定されたｋは、制御リソースの無駄またはＮＢ−ＰＤＳＣＨ衝突を生じる。その値を変化させることができるｋを使用する必要がある。
【０１５７】
第１に、基地局は、ＮＢ−ＰＤＣＣＨが位置する検索空間の初期サブフレームを構成し、端末は、検索空間の初期サブフレームに従って、対応する検索空間内でその独自のＮＢ−ＰＤＣＣＨを検出することができる。同時に、これは、ＮＢ−ＰＤＣＣＨの最終サブフレーム（ｎ）を判定することができる。この場合、対応するＮＢ−ＰＤＳＣＨの初期サブフレームは、ｎ＋ｋであり、リソース配分範囲にスケジューリングウィンドウ制限がないため、ＮＢ−ＰＤＳＣＨの占有されたサブフレームおよび初期サブフレームの数を示す必要がある。
【０１５８】
第２に、ＮＢ−ＰＤＣＣＨを受信した後、ＤＣＩは、スケジューリングギャップ（ｋ）インジケーションを取得するように復調される、すなわち、スケジューリングギャップが判定される。図１３は、本発明の好ましい実施形態に基づく、ＤＣＩ動的インジケーションによって判定されているスケジューリングギャップの概略図１である。
【０１５９】
さらに、ｋの値の値範囲は、以下のうちの１つを備える。
（１）ｋは、連続値である、すなわち、ｋの値範囲は、ｋ＝０，１，２，３，４．．．，Ｋである。この場合、スケジューリング柔軟性を確実にして、ＮＢ−ＰＤＳＣＨによって占有されるサブフレーム数は、ｋ内の任意の値であることができるが、スケジューリングギャップ（ｋ）を示すための制御支出は、比較的大きく、ｋ値は、明確なスケジューリングサイクル限界を要求する、すなわち、実施形態１と同様に、ｋがスケジューリングサイクル内で示される、１つのスケジューリングサイクルが存在する必要がある。ｋは、例えば、以下のセット：｛１６，３２，６４，１２８，２５６，５１２，７６８，１０２４，１２８０，１５３６，１７９２，２０４８｝のうちの少なくとも１つである。
（２）ｋは、非連続値である、すなわち、ｋの値範囲は、（１）｛１，２，４，８，１６，３２，６４．．．Ｋ｝または｛１，２，３，５，９，１７，３３．．．Ｋ｝等のサブセットであり、ｋは、上記と同一であることを含意し、同時に明確な柔軟性を確実にし、インジケーションシグナリング支出を削減する。ＮＢ−ＰＤＳＣＨによって占有されるサブフレーム数は、基地局スケジュールに依存する。例えば、ＮＢ−ＰＤＳＣＨ値セットは、｛１，２，３，４，５，６｝等の連続値であり、またはＮＢ−ＰＤＳＣＨ占有サブフレームへの制約は、可能な限り多くのリソースを節約するために課せられる、すなわち、ＮＢ−ＰＤＳＣＨの１つのＴＢブロックによって占有される連続サブフレーム数はまた、｛１，２，４，８，１６，３２｝等の非連続値セットであることもできる、すなわち、ＮＢ−ＰＤＳＣＨのためのスケジューリングギャップ（ｋ）値セットおよび可能性として考えられるリソース配分サイズは、相互に制約され、ｋ値セットの最大値もまた、明確なスケジューリングサイクル限界を要求する、すなわち、実施形態１と同様に、ｋがスケジューリングサイクル内で示される、１つのスケジューリングサイクルが存在する必要がある。
（３）ｋは、非連続値である、すなわち、ｋの値範囲は、（１）｛１，２，４，８，１６，３２，６４．．．Ｋ｝または｛１，２，３，５，９，１７，３３．．．Ｋ｝等のサブセットである。ｋは、上記と同一であることを含意し、ＮＢ−ＰＤＣＣＨの最終サブフレームの位置が検索空間内のいずれかの場所に位置することを考慮して、ＮＢ−ＰＤＳＣＨの初期サブフレームを示すときに、値セットを限定しないために、ＮＢ−ＰＤＳＣＨ値セットが連続値であるように、｛０，１，２，３｝または｛０，１，２，３，４，５，６，７｝としてのｋ２値セット等の対応するオフセット値を示す、第２のインジケーションが実装される。
【０１６０】
動的インジケーションに基づいてスケジューリングギャップを判定した後、６／ＰＲＢリソース配分を超えない連続サブフレームを占有するＰＤＳＣＨを示すために３ビットを使用する等、ＰＤＳＣＨによって占有されるサブフレーム数のＸビットインジケーションが依然として要求される。
【０１６１】
実施形態の特性：ＤＣＩは、スケジューリングギャップ（ｋ）およびＮＢ−ＰＤＳＣＨ占有サブフレームを直接示す。ＮＢ−ＰＤＳＣＨ占有サブフレーム数が、Ｎ個のサブフレーム（例えば、Ｎ＝６または１０）を超えない連続サブフレームの任意の値であるため、任意のｋ値が要求されるとき、制御信号支出は、比較的大きい。あるｋ値セットを制約することはまた、ＮＢ−ＰＤＳＣＨのリソース配分も制約し、別様に、ある量の無駄または第２のタイミングインジケーションは、ＮＢ−ＰＤＳＣＨリソース配分がＮを超えない連続サブフレームの任意の値を使用し得ることを確実にするために許容される。
【０１６２】
実施形態４
スケジューリングウィンドウがないと、ＮＢ−ＰＤＣＣＨの最終サブフレーム（ｎ）を限定しながら、ＤＣＩ動的インジケーションに基づく。
【０１６３】
この場合、ｎは、検索空間の最終サブフレームである。
【０１６４】
または、ｎは、（複数の検索空間を含有する）制御領域の最終サブフレームである。
【０１６５】
実施形態３の状況（２）でｋ値を実装するために、制約されたセットｋがスケジューリングに使用されるため、ＮＢ−ＰＤＳＣＨの初期サブフレームｎ＋ｋがＮＢ−ＰＤＤＣＨの最終サブフレームに従って判定される場合、ｎ＋ｋによって判定される時間ドメイン内の初期サブフレームは、ＵＳＳ内の異なるＮＢ−ＰＤＣＣＨのうちの最後のｎ個が異なるため異なり、ＮＢ−ＰＤＳＣＨによって占有されるサブフレーム数は、もはや非連続ｋ値セットではあり得ない。
【０１６６】
図１３が示すように、ＮＢ−ＰＤＳＣＨ占有サブフレームは、ｋ値範囲に限定されたセットを超えさせる、限定された値セットを依然として維持する。（別の可能性は、ｋ値が依然として限定された値セットであり、ＮＢ−ＰＤＳＣＨ占有サブフレームが限定されたセットを超えることである。）
【０１６７】
インジケーションシグナリングが限定されるため、ｋインジケーションが、限定された値セット内で必然的に実装される。検索空間内の任意の値がｎ個のサブフレームであることができるため、（ＮＢ−ＰＤＳＣＨ占有サブフレームが限定されたセットに属するかどうかにかかわらず）ｋ値は、最終的に限定されたセットに属しなくなる。したがって、ソリューションは、以下の通りである。
（１）１つだけのサブフレームを含有するものとして検索空間を定義する。この場合、ＮＢ−ＰＤＣＣＨの最終サブフレーム（ｎ）が単独で判定される。スケジューリングギャップ（ｋ）およびＮＢ−ＰＤＳＣＨ占有サブフレームは、全て限定されたセットであることができ、制御信号支出を節約する。
（２）｛２，４，８｝またはＲｍａｘサブフレームとして検索空間を定義し（基地局のためのＳＩＢまたはＲＲＣによって構成される検索空間のダウンリンク制御チャネル内の最大反復は、Ｒｍａｘである）、スケジューリングギャップは、ＵＳＳの最終サブフレームｎに基づいて判定され、ＮＢ−ＰＤＳＣＨ初期サブフレームは、ｎ＋ｋであり、これは、スケジューリングギャップ（ｋ）およびＮＢ−ＰＤＳＣＨ占有サブフレームが全て、限定されたセットに属し、それによって、制御信号支出を節約することを確実にすることができる。
【０１６８】
実施形態の特性：実施形態３と同様に、異なるＮＢ−ＰＤＳＣＨのｎ個のサブフレームを整合させることは、スケジューリングギャップ（ｋ）およびＮＢ−ＰＤＳＣＨ占有サブフレームが全て、限定されたセットに属し、それによって、制御信号支出を節約することを確実にする。
【０１６９】
実施形態５
スケジューリングウィンドウおよび固定スケジューリングギャップがないと、複数の狭帯域を使用する。または、スケジューリングウィンドウおよびスケジューリングギャップの動的インジケーションがないと、複数の狭帯域を使用する。
【０１７０】
検索空間は、複数の候補セットをサポートし、ＮＢ−ＰＤＳＣＨの最小リソース単位は、ｋ＝２等の固定スケジューリングギャップ（ｋ）を使用する、１つのＰＲＢである。図１４は、本発明の好ましい実施形態に基づく、複数の狭帯域を使用するときに、固定値を伴うスケジューリングギャップを判定することの概略図である。
【０１７１】
第１に、基地局は、狭帯域位置およびＮＢ−ＰＤＣＣＨが位置する検索空間の初期サブフレームを構成し、端末は、検索空間内でその独自のＮＢ−ＰＤＣＣＨを検出することに基づいて、ＮＢ−ＰＤＣＣＨの最終サブフレーム（ｎ）を判定することができる。この場合、対応するＮＢ−ＰＤＳＣＨの初期サブフレームは、ｎ＋ｋである。
【０１７２】
第２に、ＮＢ−ＰＤＣＣＨを受信した後、ＤＣＩは、固定スケジューリングギャップに基づいてＮＢ−ＰＤＳＣＨの初期サブフレームを判定するように復調され、ＮＢ−ＰＤＳＣＨは、ＤＣＩによって示されるＰＲＢ狭帯域位置および占有されるサブフレームの数に基づいて受信される。
【０１７３】
加えて、スケジューリングギャップ（ｋ）は、スケジューリング柔軟性を増加させ、異なる狭帯域内のリソース整合を促進する、ＤＣＩによって通知されることができる。ｋの値は、実施形態３と同一である。
【０１７４】
固定スケジューリングギャップが、複数の狭帯域をスケジュールすることを通して達成されることができる、本実施形態を実装する際に、スケジューリングギャップの動的通知が回避される。ＮＢ−ＰＤＳＣＨが位置する狭帯域位置の付加的インジケーションを要求することも可能である。加えて、ＮＢ−ＰＤＳＣＨ初期サブフレーム位置を動的に通知するためにＤＣＩを使用することは、スケジューリングの柔軟性を増加させること、および各狭帯域のリソース整合を促進することの両方を行うことができる。
【０１７５】
実施形態６
スケジューリングウィンドウがないと、スケジューリングギャップが暗示的に判定され、複数の狭帯域が使用される。
【０１７６】
検索空間は、複数の候補セットをサポートし、ＮＢ−ＰＤＳＣＨの最小リソース単位は、１つのＰＲＢである。スケジューリングギャップ（ｋ）は、暗示的に判定される。ＮＢ−ＰＤＳＣＨの初期サブフレームｎ＋ｋは、ＮＢ−ＰＤＣＣＨが位置する検索空間の最終サブフレーム（ｎ）に基づいて判定され、ｋは、ｋ＝２等の固定値である。図１５は、本発明の好ましい実施形態に基づく、複数の狭帯域が使用されるときに、ＮＢ−ＰＤＣＣＨが位置する検索空間の最終サブフレーム固定オフセット値を伴うスケジューリングギャップを判定することの概略図である。
【０１７７】
第１に、基地局は、狭帯域位置およびＮＢ−ＰＤＣＣＨが位置する検索空間の初期サブフレームを構成し、端末は、検索空間内でその独自のＮＢ−ＰＤＣＣＨを検出し、検索空間内の最終サブフレーム（ｎ）は、基地局によって構成される検索空間に基づいて判定される。この場合、対応するＮＢ−ＰＤＳＣＨの初期サブフレームは、ｎ＋ｋである。
【０１７８】
次に、ＮＢ−ＰＤＣＣＨを受信した後、ＤＣＩは、暗示的に判定されるスケジューリングギャップに基づいてＮＢ−ＰＤＳＣＨの初期サブフレームを判定するように復調され、ＮＢ−ＰＤＳＣＨは、ＤＣＩによって示されるＰＲＢ狭帯域位置および占有されたサブフレームの数に基づいて受信される。
【０１７９】
固定スケジューリングギャップが、複数の狭帯域をスケジュールすることを通して達成されることができる、本実施形態を実装する際に、スケジューリングギャップの動的通知が回避される。ＮＢ−ＰＤＳＣＨが位置する狭帯域位置の付加的インジケーションを要求することも可能である。実施形態５と比較して、本実施形態は、各チャネル内の時間ドメインの中で占有されたリソースの整合を促進し、各チャネルは、２の累乗を使用するサブフレーム長を占有する。
【０１８０】
実施形態７−９は、アップリンクスケジューリングギャップを判定するための方法である。
【０１８１】
実施形態７
スケジューリングウィンドウまたはスケジューリングサイクルに基づいて、ｋの値は、ＲＡによって暗示的に判定される。
【０１８２】
スケジューリングウィンドウまたはスケジューリングサイクルは、実施形態１と同一である。
【０１８３】
スケジューリングウィンドウでは、ダウンリンク制御チャネルが位置する検索空間は、基地局によって構成され、異なる検索空間は、スケジューリングウィンドウの最初のＸ個のサブフレームの中に集中している。スケジューリングに対応するＮＢ−ＰＵＳＣＨは、以降のスケジューリングウィンドウの中に位置し、スケジューリングウィンドウ内で初期位置および占有のＲＵ整数倍数を達成するために、連続長制約を伴うリソース配分タイプ２またはリソース配分２（例えば、連続占有サブフレームが６を超えない、ＰＤＳＣＨリソース配分は、ウィンドウ長Ｔ＝３２ｍｓに配分され、リソース配分は、
【数５】
2019504571.tif 000008
ビットを使用し、ウィンドウ長
【数６】
2019504571.tif 000009
であるとき、リソース配分ビットフィールドは、８ビットである）を使用する。現在、リソース配分は、時間ドメインの中のスケジューリングウィンドウ内の連続サブフレーム数および周波数ドメイン位置を表す。
【０１８４】
この場合、スケジューリングギャップ（ｋ）は、インジケーションを要求せず、ウィンドウ内のＮＢ−ＰＵＳＣＨリソース配分を通して暗示的に判定される。図１６は、本発明の好ましい実施形態に基づく、スケジューリングサイクルまたはスケジューリングウィンドウ内のリソース配分を伴うスケジューリングギャップを暗示的に判定することの概略図である、すなわち、ＮＢ−ＰＵＳＣＨの初期サブフレームは、リソース配分によって判定されるようなＮＢ−ＰＵＳＣＨによって占有される連続サブフレームのうちの第１のサブフレームである。
【０１８５】
実施形態２と同様に、オフセットが次のスケジューリングウィンドウのリソースを占有するようにＮＢ−ＰＵＳＣＨをスケジュールし、またはリソース配分が複数のスケジューリングウィンドウを占有することができると考慮されたい。
【０１８６】
実施形態の利点：スケジューリングギャップ（ｋ）は、スケジューリングウィンドウ長範囲内の任意の値を実装することができる。単独で示す必要はないが、リソース配分を使用して、初期サブフレームの位置およびサブフレーム占有数が、合同でコード化され、それによって、制御信号支出を削減する。
【０１８７】
実施形態８
スケジューリングウィンドウがないと、ＤＣＩ動的インジケーションに基づく。
【０１８８】
通常のカバレッジに関して、最も典型的な状況は、検索空間が複数の候補セットをサポートし、ＮＢ−ＰＵＳＣＨが副搬送波レベルスケジューリングをサポートすることである。固定されたｋは、制御リソースの無駄またはＮＢ−ＰＤＳＣＨ衝突を生じる。その値を変化させることができるｋを使用する必要がある。
【０１８９】
第１に、基地局は、ＮＢ−ＰＤＣＣＨが位置する検索空間の初期サブフレームを構成し、端末は、検索空間の初期サブフレームに従って、対応する検索空間内でその独自のＮＢ−ＰＤＣＣＨを検出することができる。同時に、これは、ＮＢ−ＰＤＣＣＨの最終サブフレーム（ｎ）を判定することができる。この場合、ＮＢ−ＰＤＳＣＨの対応する初期サブフレームは、ｎ＋ｋである。リソース配分範囲にスケジューリングウィンドウ制限がないため、ＮＢ−ＰＵＳＣＨの初期サブフレーム、占有された初期サブフレームの数、および周波数ドメイン位置が、示される必要がある。
【０１９０】
次に、ＮＢ−ＰＤＣＣＨを受信した後、ＤＣＩは、スケジューリングギャップ（ｋ）インジケーションを取得するように復調される、すなわち、スケジューリングギャップが判定される。図１７は、本発明の好ましい実施形態に基づく、ＤＣＩ動的インジケーションによって判定されているスケジューリングギャップの概略図２である。
【０１９１】
さらに、ｋ値の値範囲は、以下のうちの１つを含む。
（１）ｋは、連続値である、すなわち、ｋの値範囲は、ｋ＝０，１，２，３，４．．．，Ｋである。この場合、スケジューリング柔軟性を確実にして、ＮＢ−ＰＤＳＣＨによって占有されるサブフレーム数は、ｋ内の任意の値であることができる。しかし、スケジューリングギャップ（ｋ）を示すための制御支出は、比較的大きく、ｋ値は、明確なスケジューリングサイクル制約を要求する、すなわち、実施形態１と同様に、ｋがスケジューリングサイクル内で示される、１つのスケジューリングサイクルが存在する必要がある。例えば、ｋは、以下のセット：｛１６，３２，６４，１２８，２５６，５１２，７６８，１０２４，１２８０，１５３６，１７９２，２０４８｝のうちの少なくとも１つである。
（２）ｋは、非連続値である、すなわち、ｋの値範囲は、（１）｛１，２，４，８，１６，３２，６４．．．Ｋ｝または｛１，２，３，５，９，１７，３３．．．Ｋ｝等のサブセットであり、ｋは、上記と同一であることを含意し、同時に明確な柔軟性を確実にし、インジケーションシグナリング支出を削減する。関連して、ｋ値が非連続的であるため、ＮＢ−ＰＤＳＣＨ占有サブフレームは、実際には制約される、すなわち、ＮＢ−ＰＵＳＣＨの１つのＴＢブロックによって占有される連続サブフレーム数は、｛１，２，４，８，１６，３２｝等の非連続値セットである、すなわち、ＮＢ−ＰＤＳＣＨのためのスケジューリングギャップ（ｋ）値セットおよび可能性として考えられるリソース配分サイズは、相互に制約される。
（３）ｋは、非連続値である、すなわち、ｋの値範囲は、（１）｛１，２，４，８，１６，３２，６４．．．Ｋ｝または｛１，２，３，５，９，１７，３３．．．Ｋ｝等のサブセットである。ｋは、上記と同一であることを含意し、明確な柔軟性を確実にし、インジケーションシグナリング支出を削減する。関連して、ｋ値が非連続的であるため、ＮＢ−ＰＤＳＣＨ占有サブフレームは、実際には制約される、すなわち、ＮＢ−ＰＵＳＣＨの１つのＴＢブロックによって占有される連続サブフレーム数はまた、｛１，２，４，８，１６，３２｝等の非連続値セットであることもでき、ＮＢ−ＰＤＣＣＨの最終サブフレームの位置が検索空間内のいずれかの場所に位置することを考慮して、ＮＢ−ＰＤＳＣＨの初期サブフレームを示すときに、値セットを限定しないために、例えば、ＮＢ−ＰＵＳＣＨ値セットを連続値にさせる、｛０，１，２，３｝または｛０，１，２，３，４，５，６，７｝としてのｋ２値セットである、第２のインジケーションが実装される。
【０１９２】
動的インジケーションに基づいてスケジューリングギャップを判定した後、６／ＰＲＢリソース配分を超えない連続サブフレームを占有するＰＤＳＣＨを示すために３ビットを使用する等、ＰＤＳＣＨによって占有されるサブフレーム数のＸビットインジケーションが依然として要求される。
【０１９３】
加えて、スケジューリングギャップを判定するために使用されるサブフレーム（ｎ）の全てはまた、検索空間の最後のサブフレームであることもできる。
【０１９４】
実施形態の特性：スケジューリングギャップ（ｋ）およびＮＢ−ＰＵＳＣＨによって占有されるサブフレームの数は、ＤＣＩによって直接示される。任意のｋ値が要求されるとき、制御信号支出は、比較的大きい。異なるＮＢ−ＰＤＳＣＨのｎ個のサブフレームを整合させることは、スケジューリングギャップ（ｋ）およびＮＢ−ＰＤＳＣＨ占有サブフレームが全て、限定されたセットに属し、それによって、制御信号支出を節約することを確実にする。
【０１９５】
実施形態９
スケジューリングウィンドウがないと、スケジューリングギャップは、ＮＢ−ＰＤＣＣＨの最終サブフレームに基づく固定値をとり、複数の狭帯域が使用される。
【０１９６】
スケジューリングウィンドウがないと、スケジューリングギャップが暗示的に判定され、ＮＢ−ＰＤＣＣＨが位置する検索空間の最終サブフレームに基づく固定値をとり、複数の狭帯域が使用される。
【０１９７】
スケジューリングウィンドウがないと、スケジューリングギャップがＤＣＩによって示され、複数の狭帯域が使用される。
【０１９８】
検索空間は、複数の候補セットをサポートし、ＮＢ−ＰＵＳＣＨは、副搬送波レベルスケジューリングをサポートし、スケジューリングギャップ（ｋ）は、ＤＣＩによって暗示的に判定され、または示される。
【０１９９】
暗示的判定のための方法は、ｋがｋ＝４等の固定値である、ＮＢ−ＰＤＣＣＨ（ｎ）の最終サブフレームに基づいて、ＮＢ−ＰＵＳＣＨ  ｎ＋ｋの初期サブフレームを判定することと、ｋがｋ＝４等の固定値である、ＮＢ−ＰＤＣＣＨが位置する検索空間の最終サブフレーム（ｎ）に基づいて、ＮＢ−ＰＵＳＣＨ  ｎ＋ｋの初期サブフレームを判定することとを含む。図１８は、本発明の好ましい実施形態に基づく、ＮＢ−ＰＤＣＣＨが位置する検索空間の最終サブフレーム固定値を用いて、またはＤＣＩ動的インジケーションを用いて、スケジューリングギャップを判定することの概略図である。
【０２００】
ＤＣＩによる構成は、図１８に示されるように、ｋが、値セットに属する非固定値である、ＤＣＩによって示される、ＮＢ−ＰＤＣＣＨ（ｎ）の最終サブフレームに基づいて、スケジューリングギャップがＮＢ−ＰＵＳＣＨ  ｎ＋ｋの初期サブフレームを判定することを含む。
【０２０１】
第１に、基地局は、狭帯域位置およびＮＢ−ＰＤＣＣＨが位置する検索空間の初期サブフレームを構成し、端末は、（１）ＮＢ−ＰＵＳＣＨの対応する初期サブフレームがｎ＋ｋであり、ｋが固定値である、ＮＢ−ＰＤＣＣＨの最終サブフレーム（ｎ）に基づいて、（２）この場合、ＮＢ−ＰＵＳＣＨの対応する初期サブフレームがｎ＋ｋであり、ｋが固定値である、基地局によって構成される検索空間の最終サブフレーム（ｎ）に基づいて、（３）ＤＣＩのビットフィールドに基づいてスケジューリングギャップ（ｋ）を判定して、検索空間内でその独自のＮＢ−ＰＤＣＣＨを検出する。
【０２０２】
次に、ＮＢ−ＰＤＣＣＨを受信した後、ＤＣＩが、（１）固定、（２）暗示的判定、または（３）ＤＣＩ内のビットフィールドの動的インジケーションに基づいて復調され、スケジューリングギャップが判定され、ＮＢ−ＰＵＳＣＨの初期サブフレームが判定され、ＮＢ−ＰＵＳＣＨが、ＤＣＩによって示されるＰＲＢ狭帯域位置、占有されたサブフレームの数、および周波数ドメイン位置に基づいて受信される。
【０２０３】
本実施形態を用いると、固定または可変スケジューリングギャップが、複数の狭帯域をスケジュールすることを通して達成されることができ、それによって、スケジューリングギャップを動的に通知すること、またはリソース整合を確実にするように柔軟なスケジューリングを動的に通知することを回避する。ＮＢ−ＰＤＳＣＨが位置する狭帯域位置の付加的インジケーションを要求することも可能である。各チャネルは、２の累乗を使用するサブフレーム長を占有する。
【０２０４】
上記の実施形態の方法の説明を用いると、当業者は、前述の実施形態に基づく方法が、ソフトウェアおよび要求されるユニバーサルハードウェアプラットフォームを伴って実装され得ることを明確に理解することができる。当然ながら、これらの方法はまた、ハードウェアのみを伴って実装されることもできるが、多くの状況については、前者が、より良好な方法である。本理解に基づいて、本発明の技術的ソリューションの性質、または既存の技術に寄与するその部分は、端末デバイス（例えば、携帯電話、コンピュータ、サーバ、またはネットワーク機器等）に本開示の各実施形態の方法を実行させる、いくつかの命令を備える、記憶媒体（例えば、ＲＯＭ／ＲＡＭ、磁気または光ディスク）上に記憶され得る、コンピュータソフトウェア製品の形態をとることができる。
【０２０５】
上記のモジュールは、ソフトウェアまたはハードウェアを伴って実装され得、後者は、限定されないが、以下の方法：モジュールが同一のプロセッサの中に位置すること、またはモジュールが複数のプロセッサにわたって分離されることを用いて、達成され得ることに留意されたい。
【０２０６】
本発明の実施形態はさらに、記憶媒体を提供する。随意に、本実施形態内で、記憶媒体は、以下のステップを実行するために使用されるプログラムコードを記憶するように構成されることができる。
【０２０７】
Ｓ１、狭帯域物理ダウンリンク制御チャネル（ＮＢ−ＰＤＣＣＨ）を復調すること。
【０２０８】
Ｓ２、ＮＢ−ＰＤＣＣＨ復調を通して、狭帯域物理アップリンク共有チャネル（ＮＢ−ＰＵＳＣＨ）または狭帯域（物理）ダウンリンク共有チャネル（ＮＢ−ＰＤＳＣＨ）の初期サブフレームを判定し、スケジューリングギャップのための開始点として初期サブフレームを使用すること。初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備える。
【０２０９】
随意に、本実施形態内で、記憶媒体は、ＵＳＢ、読取専用メモリ（ＲＯＭ）、ランダムアクセスメモリ（ＲＡＭ）、携帯用ハードドライブ、磁気または光ディスク等のプログラムコードを記憶し得る任意のタイプの媒体を備えることができるが、それらに限定されない。
【０２１０】
随意に、本実施形態内で、プロセッサは、記憶媒体の記憶されたプログラムコードに基づいて、前述の実施形態の方法のステップを実行する。
【０２１１】
随意に、本実施形態の詳細に関して、ここではさらに議論されないであろう、前述および随意の実施形態の例証的説明を参照することができる。
【０２１２】
当業者は、本発明の各モジュールまたはステップが、実装のための共通コンピュータ装置を使用し得、１つのコンピュータ装置上に集中し得、もしくは複数のコンピュータ装置のネットワークにわたって分散され得、随意に、実装のためにコンピュータ実行可能プログラムを使用し得、したがって、媒体上に記憶され、コンピューティング実装によって実行され得ることを理解するはずである。ある状況下で、ステップは、本明細書に説明されているものと異なる順序で実行されてもよく、またはそれぞれのための集積回路モジュールを形成するように分離されることができ、または複数のモジュールもしくはステップは、実装のために単一の集積回路モジュールに作製されることができる。このようにして、本発明は、ハードウェアおよびソフトウェアのいかなる特定の組み合わせにも限定されない。
【０２１３】
前述は、本発明の好ましい実施形態にすぎず、その請求項を限定する役割を果たすものではない。本発明は、本発明の精神および範囲内に入るはずである、任意のタイプの変更または改変を受け得ることが当業者に明白であろう。任意の修正、同等の置換、改良等が、本開示の保護内に入る。
【産業上の利用可能性】
【０２１４】
本発明の実施形態によって提供される技術的ソリューションは、スケジューリングギャップを判定するプロセスに適用されることができ、狭帯域物理ダウンリンク制御チャネル（ＮＢ−ＰＤＣＣＨ）は、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するために復調され、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備え、本実施形態の実装は、狭帯域システム内のスケジューリングを判定する方法の問題を解決し、それによって、インジケーション支出を節約し、リソース使用効率を増加させるとともに、固定時間ギャップに起因するリソース不平等によって引き起こされるリソースの無駄の問題を解決し、これは、連続伝送トラフィックの問題を解決する。
【図１】
2019504571.tif 000010
【図２】
2019504571.tif 000011
【図３】
2019504571.tif 000012
【図４】
2019504571.tif 000013
【図５】
2019504571.tif 000014
【図６】
2019504571.tif 000015
【図７】
2019504571.tif 000016
【図８】
2019504571.tif 000017
【図９】
2019504571.tif 000018
【図１０】
2019504571.tif 000019
【図１１】
2019504571.tif 000020
【図１２】
2019504571.tif 000021
【図１３】
2019504571.tif 000022
【図１４】
2019504571.tif 000023
【図１５】
2019504571.tif 000024
【図１６】
2019504571.tif 000025
【図１７】
2019504571.tif 000026
【図１８】
2019504571.tif 000027
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって行われる方法であって、
ワイヤレス通信ノードから受信される狭帯域物理ダウンリンク制御チャネル（ＮＢ−ＰＤＣＣＨ）を復調することと、
前記ＮＢ−ＰＤＣＣＨの最終サブフレーム、および第１の値セットを伴うスケジューリングギャップインジケーションに従って、狭帯域ダウンリンク共有チャネル（ＮＢ−ＰＤＳＣＨ）の初期サブフレームを判定することと
を含み、
前記スケジューリングギャップインジケーションは、前記ＮＢ−ＰＤＣＣＨの前記最終サブフレームと前記ＮＢ−ＰＤＳＣＨの前記初期サブフレームとの間のサブフレームの数を示し、前記第１の値セットは、所定の非連続値を備える、有限セットであり、
前記第１の値セットはさらに、最大反復の数（Ｒｍａｘ）に対応する、それぞれ、所定の閾値を上回るまたはそれと等しい、および前記所定の閾値未満である、第１のサブセットおよび第２のサブセットを備え、
Ｒｍａｘは、上位層シグナリングによって構成され、
前記第１の値セットは、利用可能なサブフレームの数を示し、かつｘ＝｛０，１，２，．．．２０｝である２ｘと等しい、値を備える、方法。
【請求項２】
前記第１のサブセットは、Ｒｍａｘ／ｉの倍数である値を備え、前記第２のサブセットは、Ｒｍａｘ／ｉの倍数である値を備えず、ｉは、正の整数である、請求項１に記載の方法。
【請求項３】
前記第１の値セットはさらに、ｋ×２ｘと等しい値を備え、ｋは、負ではない整数である、請求項１に記載の方法。
【請求項４】
ＮＢ−ＰＤＣＣＨ検索空間の初期サブフレームは、以下のパラメータ：オフセット、前記最大反復の数（Ｒｍａｘ）、およびスケジューリングウィンドウ長Ｔのうちの少なくとも１つに従って構成される、請求項１に記載の方法。
【請求項５】
前記オフセットを引いたＮＢ−ＰＤＣＣＨ検索空間の前記初期サブフレームは、前記スケジューリングウィンドウ長Ｔの整数の倍数であり、前記オフセットは、前記スケジューリングウィンドウ長Ｔよりも小さいまたはそれと等しい、請求項４に記載の方法。
【請求項６】
ワイヤレス通信デバイスによって行われる方法であって、
ワイヤレス通信ノードからシステム情報ブロック（ＳＩＢ）メッセージを受信することと、
狭帯域物理ダウンリンク制御チャネル（ＮＢ−ＰＤＣＣＨ）、狭帯域ダウンリンク共有チャネル（ＮＢ−ＰＤＳＣＨ）、および狭帯域アップリンク共有チャネル（ＮＢ−ＰＵＳＣＨ）のための伝送モードおよび伝送構成を判定することと
を含み、
前記伝送モードは、以下：連続および非連続伝送のうちの１つであり、
前記伝送構成は、事前判定された周期と、前記事前判定された周期内の事前判定されたギャップ持続時間とを備え、
前記事前判定された周期および前記事前判定されたギャップ持続時間は、２の累乗、または８の整数の倍数、または無線フレーム長のｎ倍である、固定値に従って構成され、
ｎは、負ではない整数である、方法。
【請求項７】
ワイヤレス通信ノードによって行われる方法であって、
狭帯域物理ダウンリンク制御チャネル（ＮＢ−ＰＤＣＣＨ）をワイヤレス通信デバイスに伝送することを含み、
前記ＮＢ−ＰＤＣＣＨの最終サブフレーム、および第１の値セットを伴うスケジューリングギャップインジケーションは、狭帯域ダウンリンク共有チャネル（ＮＢ−ＰＤＳＣＨ）の初期サブフレームを示し、
前記スケジューリングギャップインジケーションは、前記ＮＢ−ＰＤＣＣＨの前記最終サブフレームと前記ＮＢ−ＰＤＳＣＨの前記初期サブフレームとの間のサブフレームの数を示し、前記第１の値セットは、所定の非連続値を備える、有限セットであり、
前記第１の値セットはさらに、最大反復の数（Ｒｍａｘ）に対応する、それぞれ、所定の閾値を上回るまたはそれと等しい、および前記所定の閾値未満である、第１のサブセットおよび第２のサブセットを備え、
Ｒｍａｘは、上位層シグナリングによって構成され、
前記第１の値セットは、利用可能なサブフレームの数を示し、かつｘ＝｛０，１，２，．．．２０｝である２ｘと等しい、値を備える、方法。
【請求項８】
前記第１のサブセットは、Ｒｍａｘ／ｉの倍数である値を備え、前記第２のサブセットは、Ｒｍａｘ／ｉの倍数である値を備えず、ｉは、正の整数である、請求項７に記載の方法。
【請求項９】
前記第１の値セットはさらに、ｋ×２ｘと等しい値を備え、ｋは、負ではない整数である、請求項７に記載の方法。
【請求項１０】
ＮＢ−ＰＤＣＣＨ検索空間の初期サブフレームは、以下のパラメータ：オフセット、前記最大反復の数（Ｒｍａｘ）、およびスケジューリングウィンドウ長Ｔのうちの少なくとも１つに従って構成される、請求項７に記載の方法。
【請求項１１】
前記オフセットを引いたＮＢ−ＰＤＣＣＨ検索空間の前記初期サブフレームは、前記スケジューリングウィンドウ長Ｔの整数の倍数であり、前記オフセットは、前記スケジューリングウィンドウ長Ｔよりも小さいまたはそれと等しい、請求項１０に記載の方法。
【請求項１２】
ワイヤレス通信ノードによって行われる方法であって、
システム情報ブロック（ＳＩＢ）メッセージをワイヤレス通信デバイスに伝送することを含み、
前記ＳＩＢメッセージは、狭帯域物理ダウンリンク制御チャネル（ＮＢ−ＰＤＣＣＨ）、狭帯域ダウンリンク共有チャネル（ＮＢ−ＰＤＳＣＨ）、および狭帯域アップリンク共有チャネル（ＮＢ−ＰＵＳＣＨ）のための伝送モードおよび伝送構成を示し、
前記伝送モードは、以下：連続および非連続伝送のうちの１つであり、
前記伝送構成は、事前判定された周期と、前記事前判定された周期内の事前判定されたギャップ持続時間とを備え、
前記事前判定された周期および前記事前判定されたギャップ持続時間は、２の累乗、または８の整数の倍数、または無線フレーム長のｎ倍である、固定値に従って構成され、
ｎは、負ではない整数である、方法。
【請求項１３】
請求項１−１２に記載の方法のうちのいずれか１つを実行するためのコンピュータ実行可能命令をその上に記憶している、非一過性のコンピュータ可読媒体。
【請求項１４】
ワイヤレス通信デバイスであって、
ワイヤレス通信ノードから狭帯域物理ダウンリンク制御チャネル（ＮＢ−ＰＤＣＣＨ）を受信するための受信機と、
少なくとも１つのプロセッサと
を備え、
前記少なくとも１つのプロセッサは、
前記ＮＢ−ＰＤＣＣＨを復調することと、
前記ＮＢ−ＰＤＣＣＨの最終サブフレーム、および第１の値セットを伴うスケジューリングギャップインジケーションに従って、狭帯域ダウンリンク共有チャネル（ＮＢ−ＰＤＳＣＨ）の初期サブフレームを判定することと
を行うように構成されており、
前記スケジューリングギャップインジケーションは、前記ＮＢ−ＰＤＣＣＨの前記最終サブフレームと前記ＮＢ−ＰＤＳＣＨの前記初期サブフレームとの間のサブフレームの数を示し、前記第１の値セットは、所定の非連続値を備える、有限セットであり、
前記第１の値セットはさらに、最大反復の数（Ｒｍａｘ）に対応する、それぞれ、所定の閾値を上回るまたはそれと等しい、および前記所定の閾値未満である、第１のサブセットおよび第２のサブセットを備え、Ｒｍａｘは、上位層シグナリングによって構成され、
前記第１の値セットは、利用可能なサブフレームの数を示し、かつｘ＝｛０，１，２，．．．２０｝である２ｘと等しい、値を備える、ワイヤレス通信デバイス。
【請求項１５】
前記第１のサブセットは、Ｒｍａｘ／ｉの倍数である値を備え、前記第２のサブセットは、Ｒｍａｘ／ｉの倍数である値を備えず、ｉは、正の整数である、請求項１４に記載のワイヤレス通信デバイス。
【請求項１６】
前記第１の値セットはさらに、ｋ×２ｘと等しい値を備え、ｋは、負ではない整数である、請求項１４に記載のワイヤレス通信デバイス。
【請求項１７】
ＮＢ−ＰＤＣＣＨ検索空間の初期サブフレームは、以下のパラメータ：オフセット、前記最大反復の数（Ｒｍａｘ）、およびスケジューリングウィンドウ長Ｔのうちの少なくとも１つに従って構成される、請求項１４に記載のワイヤレス通信デバイス。
【請求項１８】
前記オフセットを引いたＮＢ−ＰＤＣＣＨ検索空間の前記初期サブフレームは、前記スケジューリングウィンドウ長Ｔの整数の倍数であり、前記オフセットは、前記スケジューリングウィンドウ長Ｔよりも小さいまたはそれと等しい、請求項１７に記載のワイヤレス通信デバイス。
【請求項１９】
ワイヤレス通信デバイスであって、
ワイヤレス通信ノードからシステム情報ブロック（ＳＩＢ）メッセージを受信するための受信機と、
少なくとも１つのプロセッサと
を備え、
前記少なくとも１つのプロセッサは、狭帯域物理ダウンリンク制御チャネル（ＮＢ−ＰＤＣＣＨ）、狭帯域ダウンリンク共有チャネル（ＮＢ−ＰＤＳＣＨ）、および狭帯域アップリンク共有チャネル（ＮＢ−ＰＵＳＣＨ）のための伝送モードおよび伝送構成を判定するように構成されており、
前記伝送モードは、以下：連続および非連続伝送のうちの１つであり、
前記伝送構成は、事前判定された周期と、前記事前判定された周期内の事前判定されたギャップ持続時間とを備え、
前記事前判定された周期および前記事前判定されたギャップ持続時間は、２の累乗、または８の整数の倍数、または無線フレーム長のｎ倍である、固定値に従って構成され、
ｎは、負ではない整数である、ワイヤレス通信デバイス。
【請求項２０】
ワイヤレス通信ノードであって、
狭帯域物理ダウンリンク制御チャネル（ＮＢ−ＰＤＣＣＨ）をワイヤレス通信デバイスに伝送するための伝送機を備え、
前記ＮＢ−ＰＤＣＣＨの最終サブフレーム、および第１の値セットを伴うスケジューリングギャップインジケーションは、狭帯域ダウンリンク共有チャネル（ＮＢ−ＰＤＳＣＨ）の初期サブフレームを示し、
前記スケジューリングギャップインジケーションは、前記ＮＢ−ＰＤＣＣＨの前記最終サブフレームと前記ＮＢ−ＰＤＳＣＨの前記初期サブフレームとの間のサブフレームの数を示し、前記第１の値セットは、所定の非連続値を備える、有限セットであり、
前記第１の値セットはさらに、最大反復の数（Ｒｍａｘ）に対応する、それぞれ、所定の閾値を上回るまたはそれと等しい、および前記所定の閾値未満である、第１のサブセットおよび第２のサブセットを備え、
Ｒｍａｘは、上位層シグナリングによって構成され、
前記第１の値セットは、利用可能なサブフレームの数を示し、かつｘ＝｛０，１，２，．．．２０｝である２ｘと等しい、値を備える、ワイヤレス通信ノード。
【請求項２１】
前記第１のサブセットは、Ｒｍａｘ／ｉの倍数である値を備え、前記第２のサブセットは、Ｒｍａｘ／ｉの倍数である値を備えず、ｉは、正の整数である、請求項２０に記載のワイヤレス通信ノード。
【請求項２２】
前記第１の値セットはさらに、ｋ×２ｘと等しい値を備え、ｋは、負ではない整数である、請求項２０に記載のワイヤレス通信ノード。
【請求項２３】
ＮＢ−ＰＤＣＣＨ検索空間の初期サブフレームは、以下のパラメータ：オフセット、前記最大反復の数（Ｒｍａｘ）、およびスケジューリングウィンドウ長Ｔのうちの少なくとも１つに従って構成される、請求項２０に記載のワイヤレス通信ノード。
【請求項２４】
前記オフセットを引いたＮＢ−ＰＤＣＣＨ検索空間の前記初期サブフレームは、前記スケジューリングウィンドウ長Ｔの整数の倍数であり、前記オフセットは、前記スケジューリングウィンドウ長Ｔよりも小さいまたはそれと等しい、請求項２０に記載のワイヤレス通信ノード。
【請求項２５】
ワイヤレス通信ノードであって、
システム情報ブロック（ＳＩＢ）メッセージをワイヤレス通信デバイスに伝送するための伝送機を備え、
前記ＳＩＢメッセージは、狭帯域物理ダウンリンク制御チャネル（ＮＢ−ＰＤＣＣＨ）、狭帯域ダウンリンク共有チャネル（ＮＢ−ＰＤＳＣＨ）、および狭帯域アップリンク共有チャネル（ＮＢ−ＰＵＳＣＨ）のための伝送モードおよび伝送構成を示し、
前記伝送モードは、以下：連続および非連続伝送のうちの１つであり、
前記伝送構成は、事前判定された周期と、前記事前判定された周期内の事前判定されたギャップ持続時間とを備え、
前記事前判定された周期および前記事前判定されたギャップ持続時間は、２の累乗、または８の整数の倍数、または無線フレーム長のｎ倍である、固定値に従って構成され、
ｎは、負ではない整数である、ワイヤレス通信ノード。
【手続補正２】
【補正対象書類名】明細書
【補正対象項目名】００４１
【補正方法】変更
【補正の内容】
【００４１】
本発明の実施形態の実装を用いると、狭帯域物理ダウンリンク制御チャネル（ＮＢ−ＰＤＣＣＨ）は、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するために復調され、初期サブフレームを判定するための基礎は、以下：ＮＢ−ＰＤＣＣＨの最終サブフレーム、ＮＢ−ＰＤＣＣＨが位置する検索空間内の最終サブフレーム、スケジューリングウィンドウ内のリソース配分、およびスケジューリングギャップインジケーションのうちの少なくとも１つを備え、それによって、インジケーション支出を節約し、リソースをより効率的に使用する、狭帯域システムにおいてスケジューリングを判定する方法の問題と、固定時間ギャップに起因するリソース不平等によって引き起こされるリソースの無駄の問題との両方を解決し、それによって、連続伝送輻輳の問題を解決する。
本願明細書は、例えば、以下の項目も提供する。
（項目１）
スケジューリングギャップを判定するための方法であって、
狭帯域物理ダウンリンク制御チャネル（ＮＢ−ＰＤＣＣＨ）を復調することによって、スケジュールされた狭帯域物理ダウンリンク共有チャネル（ＮＢ−ＰＤＳＣＨ）または狭帯域物理アップリンク共有チャネル（ＮＢ−ＰＵＳＣＨ）の初期サブフレームを判定することを含み、前記初期サブフレームを判定するための基礎は、以下：前記ＮＢ−ＰＤＣＣＨの最終サブフレーム、前記ＮＢ−ＰＤＣＣＨが位置する検索空間内の最終サブフレーム、スケジューリングウィンドウ内のリソース配分、およびスケジューリングギャップインジケーションのうちの少なくとも１つを備える、方法。
（項目２）
前記ＮＢ−ＰＤＣＣＨの前記最終サブフレームに基づいて、前記ＮＢ−ＰＤＳＣＨまたは前記ＮＢ−ＰＵＳＣＨの前記初期サブフレームを判定するとき、固定スケジューリングギャップが使用される、項目１に記載の方法。
（項目３）
複数のＮＢ−ＰＤＳＣＨが１つの物理リソースブロック（ＰＲＢ）対の中でサポートされ、前記固定スケジューリングギャップが前記ＮＢ−ＰＤＳＣＨの前記初期サブフレームを判定するために使用されるとき、ダウンリンク制御情報（ＤＣＩ）または暗示的判定方法は、１つのＰＲＢ内の前記ＮＢ−ＰＤＳＣＨの位置を示すために使用される、項目２に記載の方法。
（項目４）
前記ＮＢ−ＰＤＳＣＨまたは前記ＮＢ−ＰＵＳＣＨの前記初期サブフレームが、前記ＮＢ−ＰＤＣＣＨが位置する前記検索空間の前記最終サブフレームに基づいて判定されるとき、固定スケジューリングギャップまたは前記スケジューリングギャップに基づくインジケーションが使用され、前記スケジューリングギャップインジケーションは、前記ＮＢ−ＰＤＳＣＨまたは前記ＮＢ−ＰＵＳＣＨの前記初期サブフレームまでの前記ＮＢ−ＰＤＣＣＨが位置する前記検索空間の前記最終サブフレームを示す、項目１に記載の方法。
（項目５）
前記ＮＢ−ＰＤＳＣＨまたは前記ＮＢ−ＰＵＳＣＨの前記初期サブフレームが、前記ＮＢ−ＰＤＣＣＨの前記最終サブフレームおよび前記スケジューリングギャップインジケーションに基づいて判定されるとき、前記スケジューリングギャップのための値セットは、有限セットであり、前記値セットの中の要素値は、連続的または非連続的であり、前記値セットは、固定され、またはシステム情報ブロック（ＳＩＢ）もしくは無線リソース制御（ＲＲＣ）によって構成され、前記スケジューリングギャップインジケーションは、前記ＮＢ−ＰＤＳＣＨまたは前記ＮＢ−ＰＵＳＣＨの前記初期サブフレームまでの前記ＮＢ−ＰＤＣＣＨの前記最終サブフレームを示す、項目１に記載の方法。
（項目６）
前記スケジューリングギャップインジケーションは、以下：単一インジケーションおよび２レベルインジケーションのうちの１つを備え、
前記単一インジケーションは、スケジューリングギャップを示すために単一のパラメータを使用し、前記２レベルインジケーションの第１のインジケーションは、単一インジケーションパラメータであり、前記２レベルインジケーションの第２のインジケーションは、もう一度、前記第１のインジケーションに基づくオフセット値を示し、前記オフセット値のための値セットは、有限セットであり、固定され、または前記ＳＩＢもしくは前記ＲＲＣによって構成される、項目４または項目５に記載の方法。
（項目７）
前記値セットは、以下：サービスタイプ、検索空間タイプ、または前記ＤＣＩで示される反復の数のうちの少なくとも１つによって、異なる値を有するように構成され、または暗示的に判定され、
前記値セットは、以下：前記単一インジケーション、前記２レベルインジケーションの前記第１のインジケーション、および前記２レベルインジケーションの前記第２のインジケーションのうちの少なくとも１つを備え、前記値セットのうちの値に対応する単位は、伝送時間ギャップ、またはサービスチャネルのリソース単位、物理サブフレーム、利用可能なサブフレームの数、無線フレームであり、前記ＤＣＩで示される前記反復は、以下：ＮＰ−ＰＤＳＣＨ反復、ＮＢ−ＰＵＳＣＨ反復、ＮＢ−ＰＤＣＣＨ反復のうちの少なくとも１つを備える、項目６に記載の方法。
（項目８）
前記値セットが、上位層シグナリングによって構成される最大反復の数（Ｒｍａｘ）に基づいて判定され、または異なる値を有することが前記ＤＣＩで示される前記反復に基づいて含意されるとき、前記異なる値は、Ｒｍａｘ／ｉの倍数を一様に使用し、前記スケジューリングギャップは、同一の共通因数によって表され、ｉは、０を上回る整数であり、前記異なる値は、以下のモード：
Ｒｍａｘ／ｉの倍数を使用すること、
Ｒｍａｘ／ｉの少なくとも２つの倍数を使用すること
のうちの少なくとも１つを含む、項目５または項目７に記載の方法。
（項目９）
Ｒｍａｘ＝Ｃの所定または構成された閾値に基づいて、それぞれ、ＲｍａｘがＣを上回るまたはそれと等しい、およびＲｍａｘがＣ未満であるとき、スケジューリング時間ギャップの値の２つのセットが、それぞれ、使用される、項目５または項目７に記載の方法。
（項目１０）
前記値セットのうちの前記値は、以下：
Ｒｍａｘ／ｉの同一の倍数を使用し、異なる共通因数を使用すること、
Ｒｍａｘ／ｉの異なる倍数を使用し、同一の共通因数を使用すること、
１つのグループが、Ｒｍａｘ／ｉの倍数を使用せず、別のグループが、Ｒｍａｘ／ｉの倍数を使用すること
のうちの少なくとも１つを含む、項目９に記載の方法。
（項目１１）
前記値セットの中の要素の値は、以下：
ｘが以下の｛０，１，２，３，．．．，２０｝のうちの少なくとも１つである、２ｘと、
無線フレーム長の整数の倍数と、
トランスポートブロックによって占有されるサブフレームの数の整数の倍数と、
制御チャネル占有サブフレームの整数の倍数ｋ×２ｘ（ｋは、０を上回る、もしくは０を上回るまたはそれと等しい、正の整数である）と
のうちの少なくとも１つを備える、項目５に記載の方法。
（項目１２）
前記値セットのうちの前記要素の最大値を判定するための方法は、以下：リソース配分サイクル、スケジューリングサイクル、またはスケジューリングウィンドウの長さ、固定され、または基地局によって構成される一意の値、それぞれ、異なるカバレッジレベルに基づいて判定されること、少なくとも１つのカバレッジレベルに基づいて判定されること、アップリンク単一搬送波伝送に基づいて判定されること、アップリンク副搬送波ギャップに基づいて判定されることのうちの少なくとも１つを含む、項目１１に記載の方法。
（項目１３）
前記ＮＢ−ＰＤＳＣＨまたは前記ＮＢ−ＰＵＳＣＨの前記初期サブフレームが前記スケジューリングウィンドウ内の前記リソース配分に基づいて判定されるとき、前記スケジューリングギャップの値は、前記スケジューリングウィンドウのウィンドウ長よりも小さい任意の値であり、前記スケジューリングウィンドウ内の前記リソース配分は、Ｘ個のＰＲＢまたはサブフレームを超えない連続リソース配分を使用し、Ｘの値は、前記スケジューリングウィンドウ長よりも小さく、前記スケジューリングギャップは、前記ＮＢ−ＰＤＣＣＨの前記最終サブフレームから、前記ＮＢ−ＰＤＳＣＨまたは前記ＮＢ−ＰＵＳＣＨの前記初期サブフレームまでである、項目１に記載の方法。
（項目１４）
前記ＮＢ−ＰＤＳＣＨまたは前記ＮＢ−ＰＵＳＣＨの前記初期サブフレームが前記スケジューリングウィンドウ内の前記リソース配分に基づいて判定されるとき、これはさらに、前記ＤＣＩによって動的に示される前記オフセット値に基づいて合同で判定され、前記ＮＢ−ＰＤＳＣＨまたは前記ＮＢ−ＰＵＳＣＨによって占有されるサブフレームリソースは、スケジューリングウィンドウにわたり、または前記スケジューリングウィンドウ内のみにある、項目１３に記載の方法。
（項目１５）
カバレッジ強化シナリオが、リソース配分によって判定されるリソースを使用して、Ｒ回繰り返し伝送するとき、前記方法は、以下の方法：前記スケジューリングウィンドウ内の前記リソース配分に基づいて、伝送が、前記スケジューリングウィンドウの間のみでＲ回繰り返されること、前記スケジューリングウィンドウ内のリソース配分に基づいて、伝送が、前記スケジューリングウィンドウ内でＲｉｎ回繰り返され、伝送が、前記スケジューリングウィンドウの間でＲｏｕｔ回繰り返されること、前記スケジューリングウィンドウ内のリソース配分に基づいて、伝送が、前記スケジューリングウィンドウ内でＲ回繰り返されることのうちの少なくとも１つを含み、Ｒ、Ｒｉｎ、およびＲｏｕｔのうちの少なくとも１つは、前記ＲＲＣ、ＳＩＢ、またはＤＣＩによって通知され、Ｒ、Ｒｉｎ、およびＲｏｕｔは、全て正の整数である、項目１３に記載の方法。
（項目１６）
前記ＮＢ−ＰＤＣＣＨがＲ回繰り返し伝送するとき、前記方法は、以下：ＲがＲｘを上回らない、またはＲｘよりも小さいとき、伝送が、前記伝送ウィンドウ内でＲ回繰り返されること、ＲがＲｘを上回るとき、伝送が、前記伝送ウィンドウの間でＲ回繰り返されること、ＲがＲｘを上回るとき、伝送が、前記スケジューリングウィンドウ内でＲｉｎ回繰り返され、スケジューリングウィンドウの間でＲｏｕｔ回繰り返されることのうちの少なくとも１つを含み、Ｒ、Ｒｉｎ、およびＲｏｕｔのうちの少なくとも１つは、ＲＲＣ、ＳＩＢ、またはＤＣＩによって通知され、Ｒｘ、Ｒ、Ｒｉｎ、およびＲｏｕｔは、全て正の整数である、項目１に記載の方法。
（項目１７）
Ｒ、Ｒｉｎ、Ｒｏｕｔ、およびＲｘのための値判定方法は、以下：
Ｒ、Ｒｉｎ、Ｒｏｕｔ、およびＲｘのうちの少なくとも１つが、ｘが以下の｛０，１，２，３，．．．，２０｝のうちの少なくとも１つである、２ｘの値を有すること、
Ｒ＝Ｒｉｎ×Ｒｏｕｔであること、
Ｒ、Ｒｉｎ、およびＲｏｕｔのうちの少なくとも１つが、異なるカバレッジレベルに基づいて異なる固定値を有するように判定され、または前記基地局は、１つの値または値のセットを構成し、値のセットとして構成されるとき、具体的値が前記ＤＣＩの中で知らされること、
Ｒｘおよび／またはＲｉｎは、以下：カバレッジレベル、スケジューリングウィンドウ長、および最大反復の数のうちの少なくとも１つによって判定されること
のうちの少なくとも１つを含む、項目１５または項目１６に記載の方法。
（項目１８）
前記ＮＢ−ＰＤＳＣＨは、時間ドメイン内で連続サブフレームを占有し、占有される連続サブフレームの数を判定するための方法は、以下：
連続リソース配分を使用する、事前判定されたインジケーション範囲内で前記初期サブフレームを用いた合同コード化と、
有限セット内の要素が、連続値または非連続値である、前記有限セット内の別個のインジケーションと
のうちの少なくとも１つを含む、項目１に記載の方法。
（項目１９）
１つのＰＲＢ対または１つのサブフレーム内で前記ＮＢ−ＰＤＣＣＨによって使用される狭帯域制御チャネル要素（ＮＢ−ＣＣＥ）のリソース占有のためのモードは、以下：
全ての直交周波数分割多重化（ＯＦＤＭ）シンボル上で同一の６つの連続または非連続副搬送波を占有すること、
異なるＯＦＤＭシンボル上で６つの異なる非連続副搬送波を占有すること、
異なるＯＦＤＭシンボル上で６つの異なる連続副搬送波を占有すること
のうちの１つを含む、項目１に記載の方法。
（項目２０）
前記ＮＢ−ＰＤＣＣＨが位置する前記検索空間は、１つまたは複数の集約レベルを備え、異なる繰り返し周波数における異なる集約レベルに対応する候補セットの数を判定するための方法は、以下：
異なる集約レベルが異なる繰り返し周波数にあるとき、候補セットの数は、１であること、
異なる集約レベルが異なる繰り返し周波数にあるとき、候補セットの数は、変動すること、
１の集約レベルに対応する候補セットの数は、１を上回ること、
非最大反復の数に対応する候補セットの数は、１を上回ること、
前記反復が閾値Ｒｘを上回るまたはそれと等しいとき、候補セットの数は、１と等しく、前記反復がＲｘよりも小さいまたはそれと等しいとき、候補セットの数は、１を上回ること
のうちの少なくとも１つを含む、項目１に記載の方法。
（項目２１）
前記スケジューリングウィンドウの長さは、以下：前記リソース単位長、前記スケジューリングギャップ、および前記非連続伝送ギャップのうちの少なくとも１つによって判定され、前記スケジューリング長は、前記ＳＩＢまたは前記ＲＲＣを通して前記ｅＮＢによって構成され、または固定値であり、前記判定方法は、以下：
前記長さが、以下：前記リソース単位長、前記スケジューリングギャップ、および前記非連続伝送ギャップのうちの少なくとも１つを上回ること、
前記長さが、以下：前記リソース要素長、前記スケジューリングギャップ、および前記非連続伝送ギャップのうちの少なくとも１つの整数の倍数であること、
前記長さが、ｘが以下の｛１，２，３，．．．，２０｝のうちの少なくとも１つである、２ｘを満たすこと、
前記長さが、前記無線フレーム長の整数の倍数を満たすこと
のうちの少なくとも１つを含む、項目１に記載の方法。
（項目２２）
前記アップリンクスケジューリングウィンドウ長および前記ダウンリンクスケジューリングウィンドウ長は、同一であり、固定され、または一様に構成され、または前記アップリンクスケジューリングウィンドウ長および前記ダウンリンクスケジューリングウィンドウ長は、別個に構成され、または異なる固定値をとる、項目１９に記載の方法。
（項目２３）
ＮＢ−ＰＤＣＣＨ検索空間の初期サブフレームは、以下：前記スケジューリングウィンドウ長、前記オフセット値、最大反復の数（Ｒｍａｘ）、および前記リソース配分サイクルのうちの少なくとも１つに従って判定される、項目１に記載の方法。
（項目２４）
前記初期サブフレームが前記サイクル（Ｔ）および前記オフセット値に基づいて判定されるとき、前記初期サブフレームの位置、前記オフセット値を加えた前記初期サブフレームの位置、または前記オフセット値を引いた前記初期サブフレームの位置は、Ｔの整数の倍数であり、前記オフセット値は、前記スケジューリングウィンドウの前記長さを上回らず、前記サイクル（Ｔ）は、前記スケジューリングウィンドウ長、前記スケジューリングサイクル、もしくは前記リソース配分サイクル、または前記リソース配分サイクル、前記スケジューリングサイクル、もしくは前記スケジューリングウィンドウ長の整数の倍数である、項目２３に記載の方法。
（項目２５）
前記初期サブフレームが前記最大反復の数に基づいて判定されるとき、前記方法は、以下：
前記初期サブフレームが、前記サイクルの第１のサブフレームに位置することであって、前記サイクルは、前記Ｒｍａｘの整数の倍数であり、前記整数の倍数の値は、連続値または非連続値である、こと、
前記初期サブフレームが、オフセット値を加えた前記サイクルの前記第１のサブフレームに位置することであって、前記オフセット値は、ｉで除算されたＲｍａｘの整数の倍数であり、前記サイクルは、前記Ｒｍａｘの整数の倍数であり、前記整数の倍数の値は、連続値または非連続値である、こと
のうちの少なくとも１つを含む、項目２３に記載の方法。
（項目２６）
前記サイクルは、前記Ｒｍａｘの整数の倍数または非整数の倍数によって判定される値のセットであり、
または前記サイクルは、定数（ｍ）を加えた前記Ｒｍａｘの整数の倍数または非整数の倍数によって判定される値のセットであり、以下：
前記値セットが、１０を上回るまたはそれと等しい正の整数を備えること、
前記値セットが、１を含有しないこと、
前記値セットが、１を上回り、かつ５よりも小さい、正ではない整数を含有すること、
閾値Ｒｍａｘ＝Ｄが、異なる値セットを区別するために使用されることであって、Ｄは、固定定数、または上位層シグナリングによって構成される定数である、こと
のうちの少なくとも１つを含む、項目２１または項目２３に記載の方法。
（項目２７）
ＵＥ特有の検索空間（ＵＳＳ）および共通検索空間（ＣＳＳ）に対応する値セットは、異なり、前記値セットは、以下：
前記ＣＳＳ値セットが、正ではない整数を含有しないこと、
前記ＣＳＳ値セットの最小値が、前記ＵＳＳ値セットの最小値を上回ること、
前記ＣＳＳ値セットの最大値が、前記ＵＳＳ値セットの最大値を上回ること
のうちの少なくとも１つを含む、項目２６に記載の方法。
（項目２８）
前記ＮＢ−ＰＤＣＣＨ、前記ＮＢ−ＰＤＳＣＨ、または前記ＮＢ−ＰＵＳＣＨは、反復伝送を有し、前記基地局は、前記ＳＩＢを通して、前記反復伝送が連続伝送またはギャップ／非連続伝送であるかどうかを通知し、以下：
非連続伝送を実行するかどうかを構成し、非連続伝送モードが、暗示的に判定されること、
非連続伝送ギャップの数を構成し、ギャップ場所が、暗示的に判定されること、
事前設定されたサイクルおよび前記サイクル内のギャップ位置を構成すること、
事前設定されたサイクルを構成し、サイクルサイズは、ギャップ持続時間と等しいこと、
２の累乗、または前記無線フレームの整数の倍数、または８の整数の倍数である、固定値を伴う固定サイクルおよび固定ギャップ持続時間
のうちの少なくとも１つを含む、項目１に記載の方法。
（項目２９）
前記サイクルおよび前記サイクル内の前記ギャップ位置が事前構成されるとき、前記サイクルおよび／または前記ギャップのための単位は、サブフレームまたはＲｍａｘ／ｉの倍数であり、前記サイクルおよび前記ギャップのサイズは、それぞれ、構成され、または合同コード化を通して構成され、ｉは、１〜８の整数である、項目２８に記載の方法。
（項目３０）
前記閾値に基づいて、前記サイクル内の前記ギャップ持続時間および前記サイクルを判定するための方法は、以下：
前記サイクルの最大値が、前記閾値よりも小さい、もしくはそれよりも小さいまたはそれと等しいこと、
前記ギャップ持続時間の最大値が、前記サイクル値よりも小さいこと、
前記ギャップ持続時間の前記最大値が、前記閾値よりも小さいことであって、前記閾値は、固定値または上位層シグナリングによって構成される値である、こと
のうちの少なくとも１つを含む、項目２９に記載の方法。
（項目３１）
スケジューリングギャップを判定するための装置であって、
狭帯域物理ダウンリンク制御チャネル（ＮＢ−ＰＤＣＣＨ）復調を通して、スケジュールされた狭帯域ダウンリンク共有チャネル（ＮＢ−ＰＤＳＣＨ）または狭帯域物理アップリンク共有チャネル（ＮＢ−ＰＵＳＣＨ）の初期サブフレームを判定するように設定されている、判定モジュールを備え、前記初期サブフレームを判定するための基礎は、以下：前記ＮＢ−ＰＤＣＣＨの最終サブフレーム、前記ＮＢ−ＰＤＣＣＨが位置する検索空間内の最終サブフレーム、スケジューリングウィンドウ内のリソース配分、およびスケジューリングギャップインジケーションのうちの少なくとも１つを備える、装置。
【国際調査報告】
2019504571.tif 000028
2019504571.tif 000029
2019504571.tif 000030
2019504571.tif 000031